(57)【要約】【課題】物品上にプリントされる３次元オブジェクトを提供する。【解決手段】３次元オブジェクトは、物品上にプリントされる下層カラーグラフィック層と、前記下層カラーグラフィック層上にプリントされる１以上の透明構造層と、前記１以上の透明構造層における最上層の上にプリントされる上層カラーグラフィック層とを含み、前記上層カラーグラフィック層および前記下層カラーグラフィック層は、全体としてカラーグラフィック画像を視覚的に表す。【選択図】図１２
2020124926.tif 000002
【特許請求の範囲】
【請求項１】
物品上にプリントされる３次元オブジェクトであって、
物品上にプリントされる下層カラーグラフィック層と、
前記下層カラーグラフィック層上にプリントされる１以上の透明構造層と、
前記１以上の透明構造層における最上層の上にプリントされる上層カラーグラフィック層とを含み、
前記上層カラーグラフィック層および前記下層カラーグラフィック層は、全体としてカラーグラフィック画像を視覚的に表す、３次元オブジェクト。
【請求項２】
前記下層カラーグラフィック層は、前記上層カラーグラフィック層の１以上の顔料とは異なる１以上の顔料を含んでいる、請求項１に記載の３次元オブジェクト。
【請求項３】
前記上層カラーグラフィック層上にプリントされる保護透明層をさらに含む、請求項１に記載の３次元オブジェクト。
【請求項４】
前記下層カラーグラフィック層の第１の部分は、前記下層カラーグラフィック層の第２の部分とは異なるプリント材料組成を有している、請求項１に記載の３次元オブジェクト。
【請求項５】
前記物品は、フットウェア物品である、請求項１に記載の３次元オブジェクト。
【請求項６】
前記下層カラーグラフィック層は、フットウェア物品のアッパー上にプリントされる、請求項５に記載の３次元オブジェクト。
【請求項７】
前記物品は、アパレル物品である、請求項１に記載の３次元オブジェクト。
【請求項８】
物品上にプリントされる３次元オブジェクトであって、
物品の非白色部分上にプリントされる白色層と、
前記白色層上にプリントされる下層カラーグラフィック層と、
前記下層カラーグラフィック層上にプリントされる１以上の透明構造層と、
前記１以上の透明構造層における最上層の上にプリントされる上層カラーグラフィック層とを含み、
前記上層カラーグラフィック層および前記下層カラーグラフィック層は、全体としてカラーグラフィック画像を視覚的に表す、３次元オブジェクト。
【請求項９】
前記下層カラーグラフィック層は、前記上層カラーグラフィック層の１以上の顔料とは異なる１以上の顔料を含んでいる、請求項８に記載の３次元オブジェクト。
【請求項１０】
前記上層カラーグラフィック層上にプリントされる保護透明層をさらに含む、請求項８に記載の３次元オブジェクト。
【請求項１１】
前記下層カラーグラフィック層の第１の部分は、前記下層カラーグラフィック層の第２の部分とは異なるプリント材料組成を有している、請求項８に記載の３次元オブジェクト。
【請求項１２】
前記物品は、フットウェア物品である、請求項８に記載の３次元オブジェクト。
【請求項１３】
前記下層カラーグラフィック層は、フットウェア物品のアッパー上にプリントされる、請求項１２に記載の３次元オブジェクト。
【請求項１４】
前記物品は、アパレル物品である、請求項８に記載の３次元オブジェクト。
【請求項１５】
物品上にプリントされる３次元オブジェクトであって、
物品上にプリントされる複数の透明構造層と、
前記複数の透明構造層における最上層の上にプリントされるカラー層とを含む、３次元オブジェクト。
【請求項１６】
前記カラー層は、第２カラー層であり、
前記３次元オブジェクトは、第１カラー層をさらに含み、
前記複数の透明構造層における最下層が、前記第１カラー層上にプリントされる、請求項１５に記載の３次元オブジェクト。
【請求項１７】
前記第１カラー層および前記第２カラー層は、全体としてカラーグラフィック画像を視覚的に表す、請求項１６に記載の３次元オブジェクト。
【請求項１８】
前記物品は、フットウェア物品である、請求項１５に記載の３次元オブジェクト。
【請求項１９】
前記物品は、アパレル物品である、請求項１５に記載の３次元オブジェクト。
【請求項２０】
物品上にプリントされる３次元オブジェクトであって、
物品上にプリントされる下層カラーグラフィック層と、
前記下層カラーグラフィック層上にプリントされる１以上の内層透明構造層と、
前記１以上の内層透明構造層における最上層の上にプリントされる中間カラーグラフィック層と、
前記中間カラーグラフィック層上にプリントされる１以上の外層透明構造層と、
前記１以上の外層透明構造層における最上層の上にプリントされる上層カラーグラフィック層とを含み、
前記上層カラーグラフィック層、前記中間カラーグラフィック層および前記下層カラーグラフィック層は、全体としてカラーグラフィック画像を視覚的に表す、３次元オブジェクト。
【請求項２１】
前記下層カラーグラフィック層は、前記中間カラーグラフィック層の１以上の顔料とは異なる１以上の顔料を含んでおり、前記下層カラーグラフィック層は、前記上層カラーグラフィック層の１以上の顔料とは異なる１以上の顔料を含んでいる、請求項２０に記載の３次元オブジェクト。
【請求項２２】
前記上層カラーグラフィック層上にプリントされる保護透明層をさらに含む、請求項２０に記載の３次元オブジェクト。
【請求項２３】
前記物品は、フットウェア物品である、請求項２０に記載の３次元オブジェクト。
【請求項２４】
前記物品は、アパレル物品である、請求項２０に記載の３次元オブジェクト。
【発明の詳細な説明】
【技術分野】
【０００１】
本発明の実施形態は、大略的に、シャツ、ショーツ、ズボン、ジャケット、帽子またはキャップなどのアパレル物品の製造、またはランニング、トレーニング、ジョギング、ハイキング、ウォーキング、バレーボール、ハンドボール、テニス、ラクロス、バスケットボール用のシューズなどのフットウェア物品およびその他類似のフットウェア物品のアッパーの製造、その他、バックパックまたはテントなどの物品の製造のために使用される布帛などの基材に対する、紫外線硬化性グラフィック層のプリンティングに関する。
【背景技術】
【０００２】
アパレル物品は、織布または不織布、またはメッシュ素材で製造してもよいし、皮革、合成皮革、またはプラスチック素材で製造してもよい。アパレル物品は、袖部、胴体部、パンツ脚部などのアパレル物品の各部分に、エンブレムまたはロゴなどの要素を有していてもよい。さらに、アパレル物品は、例えば肘部、肩部そして／または膝部に、耐摩耗性層、耐水層または保護層を有していてもよい。
【先行技術文献】
【特許文献】
【０００３】
【特許文献１】米国特許公開第２０１５−０００２５６７号明細書
【発明の概要】
【発明が解決しようとする課題】
【０００４】
本発明は、物品上にプリントされる３次元オブジェクトを提供する。
【課題を解決するための手段】
【０００５】
この明細書に開示されている実施形態は、アクリル樹脂インク、ポリウレタンインク、ＴＰＵインクまたはシリコーンインクなどのインクの層を布帛またはその他の物品上に積層するようにプログラムされたプリンタまたはプロッタを使用して構成されていてもよい。このようなプリンタまたはプロッタは、例えば、軌道に沿って第１の方向にプリントヘッドを移動し、第１の方向と直交する第２の方向に軌道を移動することによって、布帛の２次元の範囲をカバーするようにプログラムされていてもよい。別のプリンタまたはプロッタは、第１の方向にプリンタヘッドを移動しながら、第１の方向と直交する第２の方向にプリンタプラットフォームを移動するようにしてもよいし、プリンタヘッドを静止状態に保ちながら、プラットフォームを両方向に移動するようにしてもよい。
【０００６】
明確化のために、ここでは特定の例示的な実施形態について詳細に説明するが、ここで説明されている特徴および請求項で引用されている特徴の任意の適切な組み合わせを含む物品を製造するための任意の方法に、この明細書における開示を適用してもよい。特に、以下では特定の例示的な実施形態について詳細に説明するが、他のフットウェア物品またはアパレル物品の製造のために、他の実施形態を使用してもよいと理解すべきである。
【０００７】
ここで使用されているように、用語「プリンティング装置」「プリンタ」「プロッタ」「３Ｄプリンタ」「３次元プリンティングシステム」または「３Ｄプリンティングシステム」は、布帛、フットウェア物品、アパレル物品などの物品上に、多数層をプリントすることができる任意のタイプのシステムを指し、例えばサインプリンタおよびグラフィックプリンタを含む。これらのプリンタは、任意の適切なタイプの紫外線硬化性インクを使用してもよく、アクリル樹脂インク、ポリウレタンインク、ＴＰＵインクまたはシリコーンインクなど、任意の適切なインクを含む。
【０００８】
説明において、任意の２Ｄまたは３Ｄグラフィックデザインを指すために、用語「カラーグラフィック」または「カラーグラフィック画像」を使用する。この詳細な説明および請求項にわたり論じているように、２以上のプリント材料の層は、全体として特定のカラーグラフィック画像を視覚的に表すものであってもよい。すなわち、これら２層を積層して１以上の特定の角度から見ると、２層が視覚的に組み合わされ、カラーグラフィック画像を表す。
【０００９】
ある態様において、プリンティング装置を使用して基材上に３次元オブジェクトをプリントする方法が提供されている。この方法は、プリンティング装置においてカラーグラフィックデザイン情報を受け取ることと、プリンティング装置において基材を受け取ることとを含む。カラーグラフィックデザイン情報は、カラーグラフィック画像を表し、この詳細な説明にわたり単にカラーグラフィックとも称する。この方法は、カラーグラフィックデザイン情報を使用して、基材上に３次元オブジェクトの下層カラーグラフィック層をプリントすることをさらに含む。この方法は、下層カラーグラフィック層上に３次元オブジェクトの透明構造層をプリントすることと、カラーグラフィックデザイン情報を使用して、透明構造層上に３次元オブジェクトの上層カラーグラフィック層をプリントすることとをさらに含む。上層カラーグラフィック層および下層カラーグラフィック層の組み合わせは、視覚的にカラーグラフィックに一致する。
【００１０】
別の態様において、プリンティング装置を使用して非白色基材上に３次元オブジェクトをプリントする方法が提供されている。この方法は、プリンティング装置においてカラーグラフィックデザイン情報を受け取ることと、プリンティング装置において非白色基材を受け取ることとを含む。カラーグラフィックデザイン情報は、カラーグラフィックを表す。この方法は、非白色基材上に３次元オブジェクトの白色層をプリントすることと、カラーグラフィックデザイン情報を使用して、白色層上に３次元オブジェクトの下層カラーグラフィック層をプリントすることとをさらに含む。この方法は、下層カラーグラフィック層上に３次元オブジェクトの透明構造層をプリントすることと、カラーグラフィックデザイン情報を使用して、透明構造層上に３次元オブジェクトの上層カラーグラフィック層をプリントすることとをさらに含む。上層カラーグラフィック層および下層カラーグラフィック層の組み合わせは、視覚的にカラーグラフィックに一致する。
【００１１】
別の態様において、プリンティング装置を使用して基材上に３次元オブジェクトをプリントする方法が提供されている。この方法は、プリンティング装置においてカラーグラフィックデザイン情報を受け取ることと、プリンティング装置において基材を受け取ることとを含む。カラーグラフィックデザイン情報は、カラーグラフィックを表す。この方法は、カラーグラフィックデザイン情報を使用して、基材上に３次元オブジェクトの下層カラーグラフィック層をプリントすることをさらに含む。この方法は、下層カラーグラフィック層上に３次元オブジェクトの内層透明構造層をプリントすることと、カラーグラフィックデザイン情報を使用して、内層透明構造層上に３次元オブジェクトの中間カラーグラフィック層をプリントすることとをさらに含む。この方法は、中間カラーグラフィック層上に３次元オブジェクトの外層透明構造層をプリントすることと、カラーグラフィックデザイン情報を使用して、外層透明構造層上に３次元オブジェクトの上層カラーグラフィック層をプリントすることとをさらに含む。上層カラーグラフィック層、中間カラーグラフィック層および下層カラーグラフィック層との組み合わせは、視覚的にカラーグラフィックに一致する。
【００１２】
別の態様において、プリンティング装置を使用して非白色基材上に３次元オブジェクトをプリントする方法が提供されている。この方法は、プリンティング装置においてカラーグラフィックデザイン情報を受け取ることと、プリンティング装置において非白色基材を受け取ることとを含む。カラーグラフィックデザイン情報は、カラーグラフィックを表す。この方法は、非白色基材上に３次元オブジェクトの白色層をプリントすることと、カラーグラフィックデザイン情報を使用して、白色層上に３次元オブジェクトの下層カラーグラフィック層をプリントすることとをさらに含む。この方法は、下層カラーグラフィック層上に３次元オブジェクトの内層透明構造層をプリントすることと、カラーグラフィックデザイン情報を使用して、内層透明構造層上に３次元オブジェクトの中間カラーグラフィック層をプリントすることとをさらに含む。この方法は、中間カラーグラフィック層上に３次元オブジェクトの外層透明構造層をプリントすることと、カラーグラフィックデザイン情報を使用して、外層透明構造層上に３次元オブジェクトの上層カラーグラフィック層をプリントすることとをさらに含む。上層カラーグラフィック層、中間カラーグラフィック層および下層カラーグラフィック層との組み合わせは、視覚的にカラーグラフィックに一致する。
【００１３】
別の態様において、プリンティング装置を使用して基材上に３次元オブジェクトをプリントする方法が提供されている。この方法は、プリンティング装置においてカラーグラフィックデザイン情報を受け取ることと、プリンティング装置において基材を受け取ることとを含む。カラーグラフィックデザイン情報は、カラーグラフィックを表す。この方法は、基材上に３次元オブジェクトの透明基層をプリントすることと、カラーグラフィックデザイン情報を使用して、透明基層上に３次元オブジェクトの下層カラーグラフィック層をプリントすることとをさらに含む。この方法は、下層カラーグラフィック層上に３次元オブジェクトの内層透明構造層をプリントすることと、カラーグラフィックデザイン情報を使用して、内層透明構造層上に３次元オブジェクトの中間カラーグラフィック層をプリントすることとをさらに含む。この方法は、中間カラーグラフィック層上に３次元オブジェクトの外層透明構造層をプリントすることと、カラーグラフィックデザイン情報を使用して、外層透明構造層上に３次元オブジェクトの上層カラーグラフィック層をプリントすることとをさらに含む。上層カラーグラフィック層、中間カラーグラフィック層および下層カラーグラフィック層との組み合わせは、視覚的にカラーグラフィックに一致する。
【００１４】
別の態様において、プリンティング装置を使用して基材上に３次元オブジェクトをプリントする方法が提供されている。この方法は、プリンティング装置においてカラーグラフィックデザイン情報を受け取ることと、プリンティング装置において基材を受け取ることとを含む。カラーグラフィックデザイン情報は、カラーグラフィックを表すグラフィック情報セットを含む。この方法は、グラフィック情報セットを使用して、基材上に３次元オブジェクトの下層カラーグラフィック層をプリントすることをさらに含む。下層カラーグラフィック層は、視覚的にカラーグラフィックに一致する。この方法は、下層カラーグラフィック層上に３次元オブジェクトの内層不透明構造層をプリントすることと、グラフィック情報セットを使用して、内層不透明構造層上に３次元オブジェクトの中間カラーグラフィック層をプリントすることとをさらに含む。中間カラーグラフィック層は、視覚的にカラーグラフィックに一致する。この方法は、中間カラーグラフィック層上に３次元オブジェクトの外層不透明構造層をプリントすることと、グラフィック情報セットを使用して、外層不透明構造層上に３次元オブジェクトの上層カラーグラフィック層をプリントすることとをさらに含む。上層カラーグラフィック層は、視覚的にカラーグラフィックに一致する。
【００１５】
別の態様において、プリンティング装置を使用して非白色基材上に３次元オブジェクトをプリントする方法が提供されている。この方法は、プリンティング装置においてカラーグラフィックデザイン情報を受け取ることと、プリンティング装置において非白色基材を受け取ることとを含む。カラーグラフィックデザイン情報は、カラーグラフィックを表すグラフィック情報セットを含む。この方法は、非白色基材上に３次元オブジェクトの白色層をプリントすることと、グラフィック情報セットを使用して、白色層上に３次元オブジェクトの下層カラーグラフィック層をプリントすることとをさらに含む。下層カラーグラフィック層は、視覚的にカラーグラフィックに一致する。この方法は、下層カラーグラフィック層上に３次元オブジェクトの内層不透明構造層をプリントすることと、グラフィック情報セットを使用して、内層不透明構造層上に３次元オブジェクトの中間カラーグラフィック層をプリントすることとをさらに含む。中間カラーグラフィック層は、視覚的にカラーグラフィックに一致する。この方法は、中間カラーグラフィック層上に３次元オブジェクトの外層不透明構造層をプリントすることと、グラフィック情報セットを使用して、外層不透明構造層上に３次元オブジェクトの上層カラーグラフィック層をプリントすることとをさらに含む。上層カラーグラフィック層は、視覚的にカラーグラフィックに一致する。
【００１６】
上記の各態様において、多数の構造層を各カラーグラフィック層間で使用することができる。例えば、２以上の内層構造層（透明または不透明）を内層グラフィック層と中間グラフィック層との間に使用することができる。同様に、２以上の外層構造層（透明または不透明）を中間グラフィック層と外層グラフィック層との間に使用することができる。
【００１７】
実施形態のその他のシステム、方法、特徴および利点は、当業者にとって明確であり、または、以下の図面および詳細な説明を検討することにより明確になるであろう。この様な更なるシステム、方法、特徴および利点は、すべてこの明細書に含まれ、この概要は、実施形態の範疇であると意図するものである。
【００１８】
ここでの図面および説明文は、特定のフットウェア物品または特定のアパレル物品に使用するものとして実施形態について説明しているにすぎないが、ここでの説明は、例えばランニング、トレーニング、ジョギング、ハイキング、ウォーキング、バレーボール、ハンドボール、テニス、ラクロス、バスケットボール用のシューズなどのフットウェア物品およびその他類似のフットウェア物品、ショーツ、シャツ、ジャージ、ジャケット、ズボン、手袋、リストバンド、ヘッドバンド、アームバンド、帽子またはキャップなどのアパレル物品、その他、バックパックまたはテントなどの物品など、その他のフットウェア物品および／またはその他のアパレル物品に適用してもよい。
【００１９】
以下の図面および説明を参照することによって、実施形態をよりよく理解することができる。図面における構成要素は、必ずしも縮尺どおりではなく、実施形態の原理を説明することに重点を置いている。さらに、図面における同様の参照番号は、様々な図面にわたり対応する部材を示している。
【図面の簡単な説明】
【００２０】
【図１】図１は、例示的な実施形態にかかるプリンティングシステムの模式図を示す。
【図２】図２は、例示的な実施形態にかかるＣＭＹＫベン図を示す。
【図３】図３は、例示的な実施形態にかかる、ＣＭＹＫプリンティング能力を有するプリンティング装置の一部の斜視図を示す。
【図４】図４は、例示的な実施形態にかかる、多数のグラフィック層を有する３次元オブジェクトをプリントする方法のブロック図を示す。
【図５】図５は、例示的な実施形態にかかる、基材を受け取り、カラーグラフィックデザインを受け取る図１のプリンティングシステムの模式図を示す。
【図６】図６は、例示的な実施形態にかかる、下層カラーグラフィック層を形成するために基材上に第１のプリント材料を供給している模式図を示す。
【図７】図７は、例示的な実施形態にかかる、下層カラーグラフィック層を形成するために基材上で図６の第１のプリント材料を硬化している模式図を示す。
【図８】図８は、例示的な実施形態にかかる、下層カラーグラフィック層を形成するために図６の基材上に第２のプリント材料を供給している模式図を示す。
【図９】図９は、例示的な実施形態にかかる、下層カラーグラフィック層を形成するために図６の基材上に第３のプリント材料を供給している模式図を示す。
【図１０】図１０は、例示的な実施形態にかかる、３次元オブジェクトの例示的な下層カラーグラフィック層を示す。
【図１１】図１１は、例示的な実施形態にかかる、図１０の下層カラーグラフィック層上にプリントされた３次元オブジェクトの例示的な透明構造層を示す。
【図１２】図１２は、例示的な実施形態にかかる、図１１の透明構造層上にプリントされた３次元オブジェクトの例示的な上層カラーグラフィック層を示す。
【図１３】図１３は、例示的な実施形態にかかる、摩耗を有する図１２の例示的な３次元オブジェクトを示す。
【図１４】図１４は、摩耗を有する別の３次元オブジェクトを示す。
【図１５】図１５は、例示的な実施形態にかかる、図１２の上層カラーグラフィック層上にプリントされた３次元オブジェクトのオプションの保護透明層を示す。
【図１６】図１６は、例示的な実施形態にかかる、３次元オブジェクト用の例示的な非白色基材を示す。
【図１７】図１７は、例示的な実施形態にかかる、図１６の非白色基材上にプリントされた３次元オブジェクトの例示的な白色層を示す。
【図１８】図１８は、例示的な実施形態にかかる、図１７の白色層上にプリントされた例示的な３次元オブジェクトを示す。
【図１９】図１９は、例示的な実施形態にかかる、図１８の上層カラーグラフィック層上にプリントされた３次元オブジェクトのオプションの保護透明層を示す。
【図２０】図２０は、例示的な実施形態にかかる、異なる顔料を含む上層カラーグラフィック層および下層カラーグラフィック層を有する例示的な３次元オブジェクトを示す。
【図２１】図２１は、例示的な実施形態にかかる、上層カラーグラフィック層と中間カラーグラフィック層と下層カラーグラフィック層とを含み、透明構造層を含む例示的な３次元オブジェクトを示す。
【図２２】図２２は、例示的な実施形態にかかる、上層カラーグラフィック層と中間カラーグラフィック層と下層カラーグラフィック層とを含み、不透明構造層を含む例示的な３次元オブジェクトを示す。
【発明を実施するための形態】
【００２１】
図１は、３次元プリンティングシステム１００（単にプリンティングシステム１００とも称する）の実施形態の模式図である。プリンティングシステムのある実施形態は、プリンティングシステムの様々な装置間で１以上の機能を分散する構成を含むことができる。図示のように、プリンティングシステム１００は、プリンティング装置１０２、計算システム１０４およびネットワーク１０６を備えていてもよい。別の実施形態においては、プリンティングシステムは、単一の装置または構成要素であってもよい（図示なし）。
【００２２】
プリンティング装置のある実施形態は、カラープリンティングが可能な構成を含むことができる。ある実施形態において、プリンティングシステムは、ＣＭＹＫプリンティングを使用してもよい。別の実施形態において、他の適切なプリンティング方法を使用して、カラープリンティングを実行してもよい。
【００２３】
ＣＭＹＫプリンティングを使用してカラープリンティングを実行する実施形態において、カラープリンティングを容易にするために、任意の適切な装置、プロトコル、規格および方法を使用してもよい。ここで使用されているように、「ＣＭＹＫ」とは、カラープリンティングにおける４つの顔料を指し、「Ｃ」はシアン顔料、「Ｍ」はマゼンタ顔料、「Ｙ」はイエロー顔料、「Ｋ」はキー顔料を指す。ある場合において、キー顔料は、黒色顔料であってもよい。ＣＭＹＫプリンティングを使用するプリンティング装置の例としては、２０１５年１月１日発行のＭｉｌｌｅｒの上記特許文献１、発明の名称「Ａｄｄｉｔｉｖｅ  Ｃｏｌｏｒ  Ｐｒｉｎｔｉｎｇ（加色カラープリンティング）」（２０１３年６月２６日出願の米国特許出願番号１３／９２７５５１）があり、この出願は、参照によりここに組み込まれており、以下「カラープリンティング出願」と称する。ある実施形態において、プリンティングシステム１００は、カラープリンティングを容易にするために、カラープリンティング出願に開示されているシステム、構成要素、装置および方法の１以上の特徴を含むことができる。例えば、プリンティング装置は、１以上の顔料を含むプリント材料の液滴を基材上に供給することによって画像をプリントするように構成されていてもよい。ここで使用されているように、液滴とは、任意の適切な量のプリント材料を指していてもよい。例えば、液滴は、１ミリリットルのプリント材料であってもよい。別の実施形態において、プリンティングシステムは、他のシステム、構成要素、装置および方法を使用してもよい。
【００２４】
プリンティングシステムが、プリンティングシステムの様々な装置間で１以上の機能を分散する構成を含む実施形態において、任意の適切な構成を使用してもよい。ある実施形態において、プリンティングシステム１００は、プリンティング装置１０２からの情報の制御および／または受領を行う構成を含むことができる。この様な構成としては、計算システム１０４およびネットワーク１０６を含むことができる。一般的に、用語「計算システム」は、単一のコンピュータの計算リソース、単一のコンピュータの計算リソースの一部および／または相互通信する２以上のコンピュータを指す。これらのリソースは、１人以上の人間のユーザによって操作することができる。ある実施形態において、計算システム１０４は、１以上のサーバを含んでいてもよい。ある実施形態において、プリントサーバは、プリンティング装置１０２の制御および／または通信に主に関与する一方で、別のコンピュータ（例えば、デスクトップ、ラップトップまたはタブレット）によりユーザとのインタラクションを容易にするものであってもよい。計算システム１０４は、限定はしないが、揮発性メモリおよび不揮発性メモリなど、磁気的、光学的および／または光磁気メモリを含む１以上の記憶装置も含むこともできる。
【００２５】
ある実施形態において、プリンティング装置１０２からの情報の制御および／または受領を行う構成を容易にするために、任意の適切なハードウェアまたはハードウェアシステムを使用してもよい。ある実施形態において、計算システムを使用する場合、計算システム１０４は、中央処理装置１８５、観察インタフェース１８６（例えば、モニタまたはスクリーン）、入力装置１８７（例えば、キーボードおよびマウス）、および３次元オブジェクトをプリントするためのカラーグラフィックデザイン情報１８９を作成するためのソフトウェアを含んでいてもよい。ここで使用されているように、カラーグラフィックデザイン情報は、カラーグラフィックデザイン情報で表されるカラーグラフィックと同一の外見を有する３次元オブジェクトの形成を容易にするために、任意の適切な情報を含んでいてもよい。カラーグラフィックとしては、ロゴ、トレードマーク、カスタム仕様の画像および名前などが例示される。ある例において、カラーグラフィックは、特定の顧客のための個人向け仕様の仕上げであってもよい。別の実施形態において、他の形態のハードウェアシステムを使用してもよい。
【００２６】
一般的に、３次元オブジェクト用のカラーグラフィックデザインを設計するソフトウェアのための構成を容易にするために、任意の適切な情報を使用してもよい。少なくともある実施形態において、プリントされた構造体のカラーグラフィックデザインを設計するソフトウェアは、構造体の形状に関する情報だけでなく、構造体の様々な部分をプリントするために必要な材料に関する情報も含んでいてもよい。別の実施形態においては、異なる情報を使用してもよい。
【００２７】
一般的に、プリンティング装置１０２（または、プリンティング装置１０２と通信する関連のプリントサーバ）により解釈可能な情報へとデザインを変換するために、任意の適切なデザイン構造体を使用してもよい。ある実施形態において、３次元プリンティングまたは付加プロセスを使用して形成された１以上の構造体を提供するために、プリンティングシステム１００を以下のように操作してもよい。計算システム１０４を使用して、構造体をデザインしてもよい。あるタイプのＣＡＤソフトウェアなどのソフトウェアを使用して、これを達成してもよい。プリンティング装置１０２（または、プリンティング装置１０２と通信する関連のプリントサーバ）により解釈可能な情報へとデザインを変換してもよい。ある実施形態において、ステレオリソグラフィファイル（ＳＴＬファイル）などの３次元プリント可能ファイルにデザインを変換してもよい。別の場合において、デザインを異なるデザイン構造体に変換してもよい。
【００２８】
プリンティングシステムが、プリンティングシステム１００の様々な装置間で１以上の機能を分散する構成を含むある実施形態において、プリンティングシステム１００の装置間の通信を容易にするために、任意の適切なプロトコル、フォーマットおよび方法を使用してもよい。ある実施形態において、ネットワーク１０６を使用して、これらの通信を行う。別の場合において、これらの通信を、プリンティングシステム１００の装置間で直接行ってもよい。
【００２９】
ある実施形態において、ネットワークは、計算システム１０４とプリンティング装置１０２との情報交換を容易にする任意の有線または無線の構成を使用してもよい。ある実施形態において、ネットワーク１０６は、ネットワークインタフェース制御装置、リピータ、ハブ、ブリッジ、スイッチ、ルータ、モデムおよびファイヤウオールなど、様々な構成要素をさらに含んでいてもよい。ある実施形態において、ネットワーク１０６は、プリンティングシステム１００の２以上のシステム、装置および／または構成要素間の無線通信を容易にする無線ネットワークであってもよい。無線ネットワークとしては、限定はしないが、無線パーソナルエリアネットワーク（例えば、Ｂｌｕｅｔｏｏｔｈ（登録商標）など）、無線ローカルエリアネットワーク（ＩＥＥＥ８０２．１１  ＷＬＡＮ規格を利用するネットワークなど）、無線メッシュネットワーク、モバイル装置ネットワーク、その他の種類の無線ネットワークが例示される。別の場合において、ネットワーク１０６は、ツイスタペア線、同軸ケーブルおよび光ファイバにより信号を促進するネットワークなどの有線ネットワークとすることもできる。さらに別の場合において、有線および無線ネットワークおよび／またはコネクションを組み合わせて使用することもできる。
【００３０】
プリンティングシステムのある実施形態は、１以上の物品上に直接プリント構造体をプリント可能な構成を含むことができる。用語「物品」とは、フットウェア物品（例えば、靴）およびアパレル物品（例えば、シャツ、ズボンなど）の両方を含むことを意図する。この開示全体で使用されているように、用語「フットウェア物品」および「フットウェア」は、任意のフットウェア、およびアッパーなどのフットウェアに関わる任意の素材を含み、ベースボールシューズ、バスケットボールシューズ、クロストレーニングシューズ、サイクリングシューズ、フットボールシューズ、テニスシューズ、サッカーシューズおよびハイキングブーツを含む様々な種類の運動用フットウェアに適用してもよい。ここで使用されているように、用語「フットウェア物品」および「フットウェア」は、ドレスシューズ、ローファー、サンダル、スリッパ、ボートシューズおよびワークブーツなど、非運動用、フォーマルまたは装飾用と一般的に考えられている種類のフットウェアも含む。
【００３１】
開示の実施形態は、フットウェア物品の文脈で説明されているが、様々な実施形態を、３次元プリンティングを含む衣服、アパレルまたは装備の任意の物品に等しく適用してもよい。例えば、様々な実施形態を、帽子、キャップ、シャツ、ジャージ、ジャケット、ソックス、ショーツ、ズボン、下着、運動用サポート衣類、手袋、リスト／アームバンド、スリーブ、ヘッドバンド、任意の編成素材、任意の織成素材、任意の不織素材、スポーツ装備などに適用してもよい。したがって、ここで使用されているように、用語「アパレル物品」は、任意のフットウェア物品および帽子、キャップ、シャツ、ジャージ、ジャケット、ソックス、ショーツ、ズボン、下着、運動用サポート衣類、手袋、リスト／アームバンド、スリーブ、ヘッドバンド、任意の編成素材、任意の織成素材、任意の不織素材などを含むアパレルまたは衣類の任意の物品を指してもよい。
【００３２】
図１を参照して、図１は、物品１３０のセットを含む実施形態を示すが、別の実施形態においては、異なる物品を使用してもよい。図示のように、物品１３０のセットは、フットウェア物品１３６、サッカーボール１３４および脛骨ガード１３２を含む。別の実施形態において、物品１３０のセットは、異なる態様であってもよい。
【００３３】
一般的には、３次元オブジェクトを受けるために、物品の任意の適切な表面を基材として使用してもよい。ある実施形態において、物品は、平坦形状の表面を含む。図１を参照して、脛骨ガード１３２は、平坦形状の表面および／または裏面を有していてもよい。別の実施形態において、物品は、３次元形状の表面を含んでいてもよい。例えば、フットウェア物品１３６の側面が、３次元形状を有していてもよい。別の実施例において、サッカーボール１３４の上面が、３次元形状を有していてもよい。別の実施形態において、プリンティング装置および／またはプリンティングシステムは、他の表面上にプリントしてもよい。
【００３４】
プリンティングシステムのある実施形態は、物品上に直接プリントが可能な構成を含むことができる。別の場合において、まず３次元オブジェクトを剥離層上にプリントし、そして物品上に転写してもよい。
【００３５】
ある実施形態において、物品の使用を容易にするために、任意の適切な素材を使用して物品を形成してもよい。ある実施形態において、プリンティング装置１０２は、布地、天然布帛、合成布帛、編み地、織成素材、不織素材、メッシュ、皮革、合成皮革、ポリマー、ゴムおよび発泡素材、またはこれらの組み合わせなど、様々な素材の表面上にプリント可能であってもよく、基材とプリント材料の底部との間に剥離層を挟む必要が無く、プリントする基材表面を完全に平坦またはほぼ平坦とする必要がない。
【００３６】
ある実施形態において、物品は、カスタム仕様可能であってもよい。ここで使用されているように、カスタム仕様可能な物品は、加工されていても未完成であってもよい。図１を参照して、フットウェア物品１３６の加工は、フットウェアとして使用するための耐久性を向上するために、アッパーを特定の形状に切断したり、アッパーを処理したりすることであってもよい。ある実施例において、アッパーを折り畳んでソールに取り付けてもよい。別の実施例において、アッパーは平坦な形状であってもよい（図５参照）。図１の実施例において、フットウェア物品１３６は、大量生産デザインで仕上げなくてもよい。その代わりに、フットウェア物品１３６は、特定の顧客用の個人仕様のスタイルで仕上げるために適切な白色または灰色を有していてもよい。
【００３７】
ＣＭＹＫプリンティングを使用するこれらの例において、ＣＭＹＫは、図２のＣＭＹＫベン図に例示されるように、顔料を様々に組み合わせでプリントして混合することによって、可視スペクトルにおける任意のカラーを生成したり近似させたりしてもよい。図２を参照して、シアン１１０、マゼンタ１１２およびイエロー１１４のカラー用の顔料を混合して、図示のようにレッド１１８、グリーン１２０およびブルー１２２のうちの１以上のカラーを生成してもよい。さらなる顔料の混合を用いて、レッド１１８、グリーン１２０およびブルー１２２、シアン１１０、マゼンタ１１２およびイエロー１１４以外の多数のカラーを生成してもよい。
【００３８】
上記に示すように、ＣＭＹＫプリンティングのある実施形態は、２以上の顔料の混合を可能とする構成を含むことができる。ある実施形態において、２以上の顔料を供給前に混合してもよい。例えば、イエロー１１４用の顔料とシアン１１０用の顔料とを混合してグリーン１２０を生成してもよい。この実施例において、グリーン１２０用の顔料を前もって混合してプリント用のカートリッジに収容してもよい。別の場合において、プリンティング中に２以上の顔料を混合してもよい。例えば、イエロー１１４用の顔料およびシアン１１０用の顔料を基材上に直接供給し、基材上で混合してグリーン１２０を生成してもよい。別の実施形態において、その他の２以上の顔料の混合を用いてもよい。
【００３９】
ＣＭＹＫのある実施形態は、シアン、マゼンタおよびイエロー用の顔料を混合することによって黒色をプリントしてもよい。図２を参照して、シアン１１０、マゼンタ１１２およびイエロー１１４用の顔料を混合して黒色１１６を生成してもよい。ある実施形態において、シアン、マゼンタおよびイエロー用の顔料を混合して生成した黒色は、観察者にとって、非常に濃い飽和した黒色ではなく、薄い黒色として視覚的に見える場合がある。したがって、混合により生成された黒色が観察者にとって薄い黒色として視覚的に見えるこれらの例において、ＣＭＹＫプリンティング装置は、黒色１１６を生成するために前もって混合された顔料を収容する別のカートリッジまたは容器を含んでいてもよい。
【００４０】
ある実施形態において、プリントされたＣＭＹＫプリント材料の１以上の層で下地の白色ベースをマスキングすることによって、反射する可視光で見たときの下地の白色ベースの白度が低下するという意味で、ＣＭＹＫプリント材料は、本質的に減色混合であると考えられる。別の実施形態において、ＣＭＹＫプリント材料は、反射する可視光で見たときの下地の白色ベースの白度を高める白色を含めてもよい。
【００４１】
ある実施形態において、カラープリンティングを容易にするために、任意の適切なプリント材料を使用してもよい。ある実施形態において、ＣＭＹＫプリント材料は、水性であってもよい。別の実施形態において、ＣＭＹＫプリント材料は、油性であってもよい。ある実施形態において、ＣＭＹＫプリント材料は、構造的プリント材料を含んでいてもよい。別の実施形態において、ＣＭＹＫプリント材料は、顔料のみを含んでいてもよい。
【００４２】
ＣＭＹＫプリント材料が構造的プリント材料を含んでいる実施形態において、構造的材料は、任意の適切な特性を有していてもよい。ある実施形態において、ＣＭＹＫプリント材料は、クリアおよび／または透明な構造的プリント材料を含んでいてもよい。ある実施形態において、ＣＭＹＫプリント材料は、不透明な構造的プリント材料を含んでいてもよい。ある実施形態において、ＣＭＹＫプリント材料は、半透明の構造的プリント材料を含んでいてもよい。別の実施形態において、構造的材料は、透明な構造的材料および／または半透明の構造的材料の組み合わせを有していてもよい。
【００４３】
ＣＭＹＫプリンティングの実施形態を示す図３を参照して、プリンティング装置１０２は、プリントヘッドアセンブリ１４０を含むものとして図示されている。プリントヘッドアセンブリは、任意の数のカートリッジを含んでいてもよい。ある実施形態において、プリントヘッドアセンブリ１４０は、シアンプリント材料を有するカートリッジ１４２、マゼンタプリント材料を有するカートリッジ１４４、イエロープリント材料を有するカートリッジ１４６、キー（「Ｋ」）または黒色プリント材料を有するカートリッジ１４８、白色（「Ｗ」）プリント材料を有するカートリッジ１５０およびクリア（「ＣＬ」）プリント材料を有するカートリッジ１５２を含んでいてもよい。別の実施形態において、プリントヘッドアセンブリは、他のカートリッジを使用してもよい。ある実施形態に合致する図３には、各材料に対して１つのカートリッジが示されているが、プリンティング装置１０２は、プリントヘッドアセンブリ１４０の１以上のプリント材料に対して、１を超える数のカートリッジを含んでいてもよい。すなわち、プリンティング装置１０２は、第２のクリアのカートリッジを含んでいてもよい（図示なし）。別の実施形態において、プリンティング装置１０２は、他のカートリッジを含んでいてもよい。
【００４４】
プリンティング装置のある実施形態は、任意の適切なカラーをクリアおよび／または透明とする構成を含むことができる。ある実施形態において、可視スペクトルのカラーは、クリアおよび／または透明な構造的プリント材料を含んでいてもよい。図３を参照して、カートリッジ１４２に収容されているシアンプリント材料は、クリアおよび／または透明な構造的プリント材料を含んでいてもよい。この実施例において、カートリッジ１４４に収容されているマゼンタプリント材料は、クリアおよび／または透明な構造的プリント材料を含んでいてもよい。この実施例において、カートリッジ１４６に収容されているイエロープリント材料は、クリアおよび／または透明な構造的プリント材料を含んでいてもよい。別の実施形態において、クリアおよび／または透明な構造的プリント材料を含んでいるカラーの数を増減してもよい。
【００４５】
プリンティング装置のある実施形態は、任意の適切なカラーを不透明とする構成を含むことができる。ある実施形態において、可視スペクトルのカラーをプリントするため使用するプリント材料は、不透明な構造的プリント材料を含んでいてもよい。図３を参照して、カートリッジ１５０に収容されている白色プリント材料は、不透明な構造的プリント材料を含んでいてもよい。この実施例において、カートリッジ１４８に収容されているキープリント材料は、不透明な構造的プリント材料を含んでいてもよい。この様な例において、プリント材料は、任意の適切な顔料、例えば、透明な顔料、不透明な顔料、半透明な顔料などを含んでいてもよい。ある実施形態において、可視スペクトルにおけるカラーは、不透明な１以上の顔料を使用してプリントしてもよい。図３を参照して、カートリッジ１５０に収容されている白色プリント材料は、不透明な白色顔料を含んでいてもよい。この実施例において、カートリッジ１４８に収容されているキープリント材料は、不透明なキー顔料および／または不透明な黒色顔料を含んでいてもよい。この様な例において、プリント材料は、任意の適切な構造的プリント材料、例えば、透明な構造的プリント材料、不透明な構造的プリント材料、半透明な構造的プリント材料などを含んでいてもよい。別の実施形態において、他の構成によりカラーが不透明となるようにしてもよい。
【００４６】
プリンティング装置のある実施形態は、２以上の顔料の混合を可能とする構成を含むことができる。ある実施形態において、プリンティング装置は、プリンティング中に２以上の顔料を混合するようにしてもよい。図３を参照して、プリンティング装置１０２は、カートリッジ１４６からのイエロープリント材料およびカートリッジ１４２からのシアンプリント材料を含有する液滴１７０を基材１６０上に直接供給するようにしてもよい。この実施例において、液滴１７０を基材１６０上で混合してグリーンプリント材料を調製してもよい。別の場合において、プリンティング装置１０２は、供給前に２以上の顔料を混合するようにしてもよい。例えば、イエロープリント材料の顔料およびシアンプリント材料の顔料を混合してグリーンプリント材料を生成してもよい（図示なし）。この実施例において、グリーンプリント材料を前もって混合して、プリントのためのプリントヘッドアセンブリ１４０のカートリッジに収容してもよい（図示なし）。別の実施形態は、２以上の顔料の混合を可能とする構成を省略してもよい。
【００４７】
プリンティング装置のある実施形態は、画像、グラフィック、デザインおよびテキストなどの特徴物の基材上へのプリンティングを容易にするために、基材を横切る方向にプリントヘッドアセンブリを移動させる構成を含んでいてもよい。ある実施形態において、プリンティング装置は、プリントヘッドアセンブリを基材に沿って移動するようにしてもよい。別の実施形態において、プリンティング装置は、プリントヘッドアセンブリに関連して基材を移動するようにしてもよい。
【００４８】
プリンティング装置がプリントヘッドアセンブリを移動する実施形態において、プリンティング装置は、任意の適切な数の軸に平行な方向にプリントヘッドアセンブリを移動するようにしてもよい。ある実施形態において、プリンティング装置は、プリンティング表面に沿ってプリントヘッドアセンブリを移動するようにしてもよい。図３を参照して、プリンティング装置１０２は、基材１６０上へのプリンティングを容易にするために、プリントヘッドアセンブリ１４０を基材１６０に沿って移動するようにしてもよい。この実施例において、プリンティング装置１０２は、プリントヘッドアセンブリ１４０を第１の軸１５６に平行および／または第２の軸１５８に平行に移動するようにしてもよい。図示のように、第１の軸１５６は、基材１６０に平行および／または第２の軸１５８に直角に延びるようにしてもよい。この実施例において、第２の軸１５８は、基材１６０に平行および／または第１の軸１５６に直角に延びるようにしてもよい。ある実施形態において、プリンティング装置は、プリントヘッドアセンブリを上下移動するようにしてもよい。図３を参照して、プリンティング装置１０２は、第３の軸１５４に沿ってプリントヘッドアセンブリ１４０を上下移動するようにしてもよい。図示のように、第３の軸１５４は、基材１６０の法線であり、第１の軸１５６および／または第２の軸１５８に直角であってもよい。別の実施形態において、プリンティング装置は、異なる態様で基材に対してプリントヘッドアセンブリを移動するようにしてもよい。
【００４９】
プリンティング装置が基材を移動する実施形態において、プリンティング装置は、任意の適切な数の軸に平行な方向に基材を移動するようにしてもよい。ある実施形態において、プリンティング装置は、プリントヘッドアセンブリに対して水平に基材を移動するようにしてもよい。図３を参照して、プリンティング装置１０２は、第１の軸１５６に平行および／または第２の軸１５８に平行に基材１６０を移動するようにしてもよい。ある実施形態において、プリンティング装置は、プリントヘッドアセンブリに対して垂直に基材を移動するようにしてもよい。図３を参照して、プリンティング装置１０２は、プリントヘッドアセンブリ１４０に対して第３の軸１５４に平行な方向に基材１６０を上下移動するようにしてもよい。別の実施形態において、プリンティング装置は、異なる態様でプリントヘッドアセンブリに対して基材を移動するようにしてもよい。
【００５０】
図４は、例示的な実施形態にかかる、３次元オブジェクトを基材上にプリントするプロセスのブロック図を示す。図５〜図１２に基づいて、図４の様々な工程について論じる。ある実施形態において、図４の工程は、ＣＭＹＫプリンティングを使用する。別の場合において、他の方法、手法および／またはプロセスを使用してもよい。ある実施形態において、図１に示すシステムを使用して、図４の各工程を実行するようにしてもよい。別の場合において、他のシステムおよび／または装置を使用してもよい。工程の数を増減して使用してもよいと理解すべきである。図５〜図１２に示すプロセスは、説明を目的とするものである。
【００５１】
ある実施形態において、ステップ２０２と同様に、カラーグラフィックデザイン情報をプリンティング装置により受け取るようにしてもよい。ここで使用されているように、カラーグラフィックデザイン情報は、カラーグラフィックと視覚的に同一の３次元オブジェクトのプリンティングを容易にするための任意の適切な情報を指すものであってもよい。この様な情報は、以下にさらに説明するように、１以上のグラフィック情報セットを含んでいてもよい。ある実施形態において、カラーグラフィックデザイン情報は、人間のユーザにより提供されてもよい。図５を参照して、顧客またはデザイナなどの人間のユーザが、計算システム１０４を使用して、個人的な嗜好に応じてカラーグラフィックデザイン情報１８９を生成するようにしてもよい。ある実施形態において、カラーグラフィックデザイン情報の少なくとも一部が、計算装置により自動的に生成されてもよいと理解すべきである。この実施例において、計算システム１０４は、プリンティング装置１０２を使用してカラーグラフィックデザイン情報１８９を送信してもよく、プリンティング装置１０２は、計算システム１０４にローカルに接続されていてもよいし、ネットワーク１０６を使用して計算システム１０４にリモートに接続されていてもよい。別の実施形態において、カラーグラフィックデザイン情報は、プリンティング装置により異なる態様で受け取られてもよい。
【００５２】
一般的に、カラーグラフィックデザイン情報は、カラーグラフィックを表すために、任意の適切な数のグラフィック情報セットを含んでいてもよい。ここで使用されているように、グラフィック情報セットは、それ自体が、そして／または、１以上の他のグラフィック情報セットと組み合わせて、カラーグラフィックデザイン情報により表されるカラーグラフィックと視覚的に同一である任意の適切な画像を指すものであってもよい。ある実施形態において、カラーグラフィックデザイン情報は、カラーグラフィックを表すための単一のグラフィック情報セットを含んでいてもよい。図５を参照して、カラーグラフィックデザイン情報１８９に含まれているカラーグラフィックは、単一の画像および／または単独の画像ファイルなど、単一のグラフィック情報セットにより表されるものであってもよい。ある実施形態において、カラーグラフィックデザイン情報は、複数のグラフィック情報セットを含んでいてもよい。例えば、カラーグラフィックデザイン情報１８９に含まれている第１のグラフィック情報セットは、カラーグラフィックの第１の部分を表していてもよい。この実施例において、カラーグラフィックデザイン情報１８９に含まれている第２のグラフィック情報セットは、カラーグラフィックの第２の部分を表していてもよい。この実施例において、カラーグラフィックデザイン情報１８９に含まれている第３のグラフィック情報セットは、カラーグラフィックデザイン情報１８９に含まれているカラーグラフィックの第３の部分を表していてもよい。別の実施形態において、カラーグラフィックデザインは、異なる数のグラフィック情報セットを含んでいてもよい。
【００５３】
一般的に、カラーグラフィックデザイン情報は、任意の適切なフォーマット、プロトコルおよび／またはトポロジーを使用してもよい。ある実施形態において、カラーグラフィックデザイン情報のグラフィック情報セットは、デジタル画像または画像ファイルであってもよい。例えば、グラフィック情報セットは、ラスタフォーマット、ベクトルフォーマット、複合フォーマットおよび／またはステレオフォーマットを使用した画像ファイルであってもよい。ラスタフォーマットとしては、ｊｏｉｎｔ  ｐｈｏｔｏｇｒａｐｈｉｃ  ｅｘｐｅｒｔｓ  ｇｒｏｕｐ（ＪＰＥＧ）、ｔａｇｇｅｄ  ｉｍａｇｅ  ｆｉｌｅ  ｆｏｒｍａｔ（ＴＩＦＦ）、ｇｒａｐｈｉｃｓ  ｉｎｔｅｒｃｈａｎｇｅ  ｆｏｒｍａｔ（ＧＩＦ）、ｂｉｔｍａｐ  ｉｍａｇｅ  ｆｉｌｅ（ＢＭＰ）、ｐｏｒｔａｂｌｅ  ｎｅｔｗｏｒｋｓ  ｇｒａｐｈｉｃｓ（ＰＮＧ）などを例示してもよい。ベクトルフォーマットとしては、ｃｏｍｐｕｔｅｒ  ｇｒａｐｈｉｃｓ  ｍｅｔａｆｉｌｅ（ＣＧＭ）、Ｇｅｒｂｅｒ  ｆｏｒｍａｔ（ＧＥＲＢＥＲ）、ｓｃａｌａｂｌｅ  ｖｅｃｔｏｒ  ｇｒａｐｈｉｃｓ（ＳＶＧ）などを例示してもよい。複合フォーマットとしては、ｐｏｒｔａｂｌｅ  ｄｏｃｕｍｅｎｔ  ｆｏｒｍａｔ（ＰＤＦ）、ｅｎｃａｐｓｕｌａｔｅｄ  ＰｏｓｔＳｃｒｉｐｔ、ＰｏｓｔＳｃｒｉｐｔなどを例示してもよい。ステレオフォーマットとしては、ＪＰＥＧ  ｓｔｅｒｅｏ（ＪＰＳ）、ｐｏｒｔａｂｌｅ  ｎｅｔｗｏｒｋ  ｇｒａｐｈｉｃｓ（ＰＳＮ）などを例示してもよい。ある画像ファイルは、多数のグラフィック情報セットが単一の画像ファイルに記憶されるように、多数の層をサポートしてもよいと理解される。別の実施形態において、カラーグラフィックデザインは、異なる態様であってもよい。
【００５４】
ある実施形態において、カラーグラフィックデザイン情報は、１以上の顔料の目標カラー組成を示すものであってもよい。ここで使用されているように、目標カラー組成とは、ＣＭＹＫプリンティングの各カラー用のプリント材料の量を指すものであってもよい。例えば、目標カラー組成は、シアンプリント材料２０滴、マゼンタプリント材料２０滴、イエロープリント材料２０滴、キープリント材料２０滴、クリアプリント材料２０滴および／または白色プリント材料２０滴を含んでいてもよい。別の実施形態において、カラーグラフィックデザインは、目標カラー組成を異なる態様で示すものであってもよい。
【００５５】
ある実施形態において、カラーグラフィックデザイン情報は、グラフィック情報セットの各ピクセル用の目標カラーを含んでいてもよい。例えば、グラフィック情報セットは、グリーンの目標カラーを有する第１のピクセルおよびレッドの目標カラーを有する第２のピクセルを含んでいてもよい。別の実施形態において、カラーグラフィックデザインは、異なる態様であってもよい。
【００５６】
ある実施形態において、グラフィック情報セットのピクセルの目標カラーは、基材の対応領域の目標カラー組成を示すものであってもよい。例えば、基材のグリーンの領域を形成するために、シアンプリント材料２０滴およびイエロープリント材料２０滴を使用して、グリーンの目標カラーを有する第１のピクセルをプリントし、基材のレッドの領域を形成するために、シアンプリント材料２０滴およびマゼンタプリント材料２０滴を使用して、レッドの目標カラーを有する第２のピクセルをプリントするようにしてもよい。別の実施形態において、基材の各領域の目標カラー組成を異なる態様で決定してもよい。
【００５７】
例示目的で、様々な実施形態により、目標カラー組成が、グリーンカラーとなるシアン顔料およびイエロー顔料の組み合わせとして示されている。したがって、目標カラーは、任意の適切なカラーであり、目標カラー組成は、任意の適切な顔料の組み合わせであってもよいと理解すべきである。例えば、目標カラー組成は、図２に示すＣＭＹＫベン図により例示されるプリント材料の様々な組み合わせの１つであってもよい。
【００５８】
ある実施形態において、プリンティング装置は、ステップ２０４（図４参照）と同様に、３次元オブジェクトのプリントのための基材を受け取るようにしてもよい。ある実施形態において、プリンティング装置は、基材を手動操作で受け取るようにしてもよい。図５を参照して、プリンティング装置１０２によりフットウェア物品１３６上に直接プリントするために、人間のユーザが、プリンティング装置１０２のプラットフォーム５０６上にフットウェア物品１３６を載置するようにしてもよい。別の実施形態において、プリンティング装置は、基材を自動的に受け取るようにしてもよい。例えば、１以上のローダ（図示なし）を使用して、プリンティング装置１０２上へのフットウェア物品１３６の載置を自動化し、フットウェア物品１３６（または別の基材）をプリンティング装置１０２上に載置するようにしてもよい。
【００５９】
ある実施形態は、基材上でのプリンティングを容易にするために基材の処理を可能にする構成を含むことができる。ある実施形態において、基材の処理は、形状付与を含んでいてもよい。ある実施形態において、基材の処理は、物品の露出表面の処理または仕上げを含んでいてもよい。ある実施形態において、基材の処理は、ＣＭＹＫプリンティングを使用して、３次元オブジェクトを受けるための基材を準備することを含んでいてもよい。別の実施形態において、基材の処理を省略してもよい。
【００６０】
基材の処理が、ＣＭＹＫプリンティングを使用して、３次元オブジェクトを受けるための基材を準備することを含む実施形態において、３次元オブジェクトを受ける基材を準備するために、任意の適切なＣＭＹＫプリンティングを使用してもよい。ある実施形態において、３次元オブジェクトを受ける基材を準備するためのＣＭＹＫプリンティングは、平坦なプリント表面を形成するために基層をプリントすることを含んでいてもよい。例えば、プリンティング装置は、３次元オブジェクトを受ける平坦な表面を有するオプションの基層（図示なし）を形成するために、ＣＭＹＫプリンティングを使用してもよい。別の実施形態において、３次元オブジェクトを受ける基材を準備するために、ＣＭＹＫプリンティングを使用して基材を異なる態様で処理してもよい。
【００６１】
平坦なプリント表面を形成するために、ＣＭＹＫプリンティングを使用してオプションの基層をプリントするこれらの実施形態において、任意の適切な材料で基層を形成してもよい。ある実施形態において、クリアプリント材料を使用してオプションの基層を形成してもよい。ある実施形態において、白色プリント材料を使用してオプションの基層を形成してもよい。別の実施形態において、基層を形成するために他のプリント材料を使用してもよい。
【００６２】
ある実施形態において、プリンティング装置は、ステップ２０６（図４参照）と同様に、下層カラーグラフィック層をプリントするようにしてもよい。例えば、上記で論じたようにＣＭＹＫプリンティング手法を使用して、そして／または、上記で論じたようにシアンプリント材料、マゼンタプリント材料、イエロープリント材料、キープリント材料、クリアプリント材料、白色プリント材料および／またはこれらの組み合わせを使用して、下層カラーグラフィック層を形成するようにしてもよい。別の実施形態において、下層カラーグラフィック層を形成するために、他の材料および／または手法を使用してもよい。
【００６３】
ある実施形態において、下層カラーグラフィック層をプリントするためのプリント材料の選択を容易にするために、カラーグラフィックの少なくとも一部を表すグラフィック情報セットを使用してもよい。ある実施形態において、グラフィック情報セットは、カラーグラフィック（図１２参照）と同じ顔料セットを有していてもよい。例えば、第１のグラフィック情報セットは、第２のグラフィック情報セットの明るいグリーンと組み合わせたときに、カラーグラフィックの暗いグリーンの目標カラーとなるような明るいグリーンを含んでいてもよい。別の実施形態において、グラフィック情報セットは、カラーグラフィック（図２０参照）の顔料の第１のサブセットまたは部分を含んでいてもよく、別のグラフィック情報セットは、カラーグラフィックの顔料の第２のサブセットまたは部分を含んでいてもよい。別の実施形態において、グラフィック情報セットを省略してもよい。
【００６４】
ある実施形態において、下層カラーグラフィック層のある領域をグラフィック情報セットのピクセルにマッピングしてもよい。図５〜図６を参照して、プリンティングシステム１００は、カラーグラフィックデザイン情報１８９のピクセル５０４を下層カラーグラフィック層６２０の第１の領域６１０に割り当ててもよい。ピクセルは、任意の適切な寸法および形状であってもよく、ピクセルは、領域に対して任意の適切な比（例えば、１−１、２−１、１−２）を有していてもよいものと理解すべきである。別の実施形態において、カラーグラフィックデザイン情報を異なる態様で使用して、下層カラーグラフィック層をプリントしてもよい。
【００６５】
ある実施形態において、グラフィック情報セットを使用して、下層カラーグラフィック層をプリントしてもよい。この様な場合、プリンティングシステムは、グラフィック情報セットのピクセルに割り当てられたカラーと視覚的に同等または同一となるプリント材料を選択してもよい。図６を参照して、プリンティングシステム１００は、顔料の組み合わせがピクセル５０４（図５参照）に割り当てられたカラーと視覚的に同等となるようなシアンプリント材料６０２およびイエロープリント材料６０４を選択してもよい。すなわち、例えば、プリンティングシステム１００は、プリント材料の組み合わせがピクセル５０４に割り当てられたグリーン用の目標カラー組成と視覚的に同等となるようなシアンプリント材料６０２およびイエロープリント材料６０４を含んでいてもよい。別の実施形態において、ある領域用のプリント材料を異なる態様で選択してもよい。
【００６６】
ある実施形態は、下層カラーグラフィック層をプリントするために、プリントヘッドアセンブリの多数のカートリッジからのプリント材料の供給を可能とする構成を含むことができる。別の実施形態において、プリントヘッドアセンブリの単一のカートリッジからプリント材料を供給してもよい。
【００６７】
プリントヘッドアセンブリの多数のカートリッジからプリント材料を供給する実施形態において、下層カラーグラフィック層をプリントするために、プリント材料の任意の適切な組み合わせを使用してもよい。図６を参照して、下層カラーグラフィック層６２０の第１の領域６１０をシアンプリント材料６０２およびイエロープリント材料６０４から形成してもよい。別の実施形態において、第１の領域６１０は、プリント材料の他の組み合わせを含んでいてもよい。
【００６８】
ある実施形態は、プリントヘッドアセンブリの多数のカートリッジから供給されるプリント材料の混合を可能にする構成を含むことができる。ある実施形態において、プリント材料を基材の上方で混合するようにしてもよい。図６を参照して、シアンプリント材料６０２およびイエロープリント材料６０４は、フットウェア物品１３６の第１の領域６１０に接触する前に混合してもよい。ある実施形態において、プリント材料を基材上で混合するようにしてもよい。図６を参照して、フットウェア物品１３６の第１の領域６１０上でシアンプリント材料６０２およびイエロープリント材料６０４を混合するようにしてもよい。別の実施形態において、ＣＭＹＫプリント材料の１以上の組み合わせを前もって混合して単一のカートリッジから供給するようにしてもよい（図示なし）。
【００６９】
ある実施形態は、プリントヘッドアセンブリからの任意の適切なプリント材料の供給を可能とする構成を含んでいてもよい。ある実施形態において、プリント材料は、光硬化性であってもよい。図６を参照して、シアンプリント材料６０２および／またはイエロープリント材料６０４は、光硬化性であってもよい。この実施例において、プリンティング装置１０２は、シアンプリント材料６０２および／またはイエロープリント材料６０４を液体状でフットウェア物品１３６の第１の領域６１０上に供給するようにしてもよい。ある実施形態において、プリント材料は、紫外線硬化性であってもよい。図６を参照して、シアンプリント材料６０２および／またはイエロープリント材料６０４は、紫外線硬化性であってもよい。別の実施形態において、プリント材料は、異なる態様であってもよい。例えば、プリント材料は、熱可塑性プラスチックを含んでいてもよい。
【００７０】
プリントヘッドアセンブリから供給されたプリント材料が紫外線硬化性である実施形態において、任意の適切な方法を使用してプリント材料を硬化するようにしてもよい。ある実施形態において、プリンティングシステムは、硬化ランプを含む構成としてもよい。別の実施形態において、プリンティングシステムは、紫外線硬化性プリント材料を硬化するように構成された別の装置を含む構成としてもよい。
【００７１】
プリンティングシステムが硬化装置を含み、光硬化性プリント材料を使用するように構成された実施形態において、硬化装置は、プリント材料を硬化するために任意の適切な光を照射するようにしてもよい。ある実施形態において、硬化装置は、紫外線を照射する。図７を参照して、硬化装置７０２は、下層カラーグラフィック層６２０の第１の部分７２２を硬化するために、紫外線７０４をフットウェア物品１３６の第１の領域６１０に向けて照射する。別の実施形態において、他のプリント材料を使用してもよく、そして／または、硬化装置を省略してもよい。
【００７２】
ある実施形態において、硬化装置は、プリント材料を硬化して、任意の量のプリント材料を液体状から固体状に相転移させる構成としてもよい。ある実施形態において、硬化装置は、基材のある領域上に供給されたすべてのプリント材料を硬化して、プリント材料を液体状から固体状に相転移させる構成としてもよい。別の実施形態において、硬化装置は、基材のある領域上に供給されたプリント材料の一部のみを硬化して、プリント材料を液体状から固体状に相転移させる構成としてもよい。
【００７３】
プリンティングシステムがプリント材料を混合するように構成された実施形態において、硬化装置は、任意の適切なタイミングでプリント材料を硬化するようにしてもよい。ある実施形態において、硬化装置は、プリント材料を混合した後にプリント材料を硬化する。図６〜図７を参照して、硬化装置７０２は、シアンプリント材料６０２を混合した後にシアンプリント材料６０２および／またはイエロープリント材料６０４を硬化するようにしてもよい。ある実施形態において、硬化装置は、基材に再び形状付与した後にプリント材料を硬化する（図示なし）。別の実施形態において、硬化装置は、他のタイミングでプリント材料を硬化する。
【００７４】
ある実施形態において、カラーグラフィック層の各部分は、異なるプリント材料組成を有していてもよい。図８を参照して、下層カラーグラフィック層６２０は、第１の領域６１０においてシアンプリント材料６０２およびイエロープリント材料６０４（図６参照）を供給、硬化することによって形成された第１の部分７２２を含んでいてもよい。この実施例において、図８〜図９を参照して、下層カラーグラフィック層６２０は、第２の領域８６２においてクリアプリント材料８０２およびマゼンタプリント材料８０４を供給、硬化することによって形成された第２の部分９２４をさらに含んでいてもよい。マゼンタプリント材料の使用は単に例示であり、下層カラーグラフィック層の第２の部分を形成するために、任意の適切なカラーまたは非カラー（例えば、クリア）を使用してもよいと理解すべきである。別の実施形態において、カラーグラフィック層の各部分を同等のプリント材料で形成するようにしてもよい。
【００７５】
ある実施形態において、グラフィック層は、異なるプリント材料組成を有する部分を任意の適切な数だけ含んでいてもよい。ある実施形態において、３以上の部分を使用して下層カラーグラフィック層を形成してもよい。図９〜図１０を参照して、下層カラーグラフィック層６２０は、第３の領域９２８においてシアンプリント材料９０２およびイエロープリント材料９０４を供給、硬化することによって形成された第３の部分１０２６をさらに含んでいてもよい。シアンプリント材料およびイエロープリント材料の使用は例示であり、下層カラーグラフィック層の様々な部分を形成するために、任意の適切なカラーまたは非カラー（例えば、クリア）を使用してもよいと理解すべきである。別の実施形態において、１または２の部分を使用してもよく、そして／または、カラーグラフィック層の各部分を同等のプリント材料で形成してもよい。
【００７６】
ある実施形態は、任意の適切な数の副層を使用してカラーグラフィック層を形成することができる。例えば、図６〜図９を参照して、下層カラーグラフィック層６２０は、プリントヘッドアセンブリおよび／または硬化ランプの一回の通過を利用して形成される単一の層であってもよい。別の実施形態において、カラーグラフィック層は、プリントヘッドアセンブリおよび／または硬化ランプの複数回の通過を利用して多数の副層で形成されていてもよい。
【００７７】
ある実施形態は、下層カラーグラフィック層を可視化することができる。ある場合において、下層カラーグラフィック層を可視化するために、構造層を透明としてもよい。別の実施形態において、他の方法を利用して、下層カラーグラフィック層を可視化してもよい。
【００７８】
ある実施形態において、上記で論じたようにＣＭＹＫプリンティング手法を使用して、そして／または、上記で論じたようにクリアプリント材料を使用して、透明構造層を形成するようにしてもよい。別の実施形態において、他の材料および／または手法を使用して、透明構造層を形成してもよい。
【００７９】
ＣＭＹＫプリンティング手法を使用して透明構造層を形成する実施形態において、プリント材料の任意の適切な組み合わせを使用してもよい。図１１を参照して、ステップ２０８（図４参照）と同様に、下層カラーグラフィック層６２０上にクリアプリント材料を供給することによって、そして、クリアプリント材料を硬化することによって、透明構造層１１０４をプリントしてもよい。図示のように、ある実施形態において、透明構造層１１０４の形成後も、下層カラーグラフィック層６２０を可視状態に保持してもよい。別の実施形態において、他のプリント材料を使用してもよい。
【００８０】
ある実施形態において、任意の適切な数の副層および／または硬化ランプの任意の適切な回数の通過を利用して透明構造層を形成するようにしてもよい。図１１を参照して、プリントヘッドアセンブリおよび／または硬化ランプの１回の通過を利用して、透明構造層１１０４を単一の副層で形成してもよい。別の実施形態において、プリントヘッドアセンブリおよび／または硬化ランプの多数回の通過を利用して、構造層を多数の副層で形成してもよい（図示なし）。
【００８１】
ある実施形態において、透明構造層は、カラーグラフィック層の厚さよりも大きな厚さを有していてもよい。図１２を参照して、透明構造層１１０４は、下層カラーグラフィック層６２０の厚さ１２２２および／または上層カラーグラフィック層１２０８の厚さ１２２４よりも大きな厚さ１２２０を有していてもよい。別の実施形態において、透明構造層は、下層カラーグラフィック層の厚さおよび／または上層カラーグラフィック層の厚さ以下の厚さを有していてもよい（図示なし）。
【００８２】
ある実施形態において、プリンティング装置は、ステップ２１０（図４参照）と同様に、上層カラーグラフィック層をプリントするようにしてもよい。ある実施形態において、上記で論じたようにＣＭＹＫプリンティング手法を使用して、そして／または、上記で論じたようにシアンプリント材料、マゼンタプリント材料、イエロープリント材料、キープリント材料、クリアプリント材料、白色プリント材料および／またはこれらの組み合わせを使用して、上層カラーグラフィック層を形成してもよい。別の実施形態において、上層カラーグラフィック層を形成するために、他の材料および／または手法を使用してもよい。ある実施形態において、上層カラーグラフィック層の形成のために使用するプリント材料の組み合わせは、グラフィック情報セットから選択してもよい。別の実施形態において、使用するプリント材料の組み合わせを異なる態様で選択してもよい。
【００８３】
ある実施形態において、カラーグラフィックデザイン情報は、カラーグラフィックの一部を表す単一のグラフィック情報セットを含んでいてもよい。この様な例において、単一のグラフィック情報セットを使用して下層カラーグラフィック層をプリントし、その単一のグラフィック情報セットを使用して上層カラーグラフィック層をプリントしてもよい。別の実施形態において、カラーグラフィックデザイン情報は、カラーグラフィックの第１の部分を表す第１のグラフィック情報セットおよびカラーグラフィックの第２の部分を表す第２のグラフィック情報セットを含んでいてもよい。この様な例において、第１のグラフィック情報セットを使用して下層カラーグラフィック層をプリントし、第２のグラフィック情報セットを使用して上層カラーグラフィック層をプリントしてもよい。ある実施形態において、人間のユーザが各グラフィック情報セットを生成してもよく、別の実施形態において、プリンティングシステムが単一のグラフィック情報セットおよび／またはカラーグラフィックデザイン情報から各グラフィック情報セットを自動的に生成するように構成されていてもよいと理解すべきである。
【００８４】
カラーグラフィックの第２の部分を表す第２のグラフィック情報セットを使用する実施形態において、第２のグラフィック情報セットは、カラーグラフィックの第１の部分を表す第１のグラフィック情報セットの１以上の特徴を有していてもよい。例えば、第２のグラフィック情報セットは、カラーグラフィックと同一の顔料またはカラーグラフィックと異なる顔料を含有していてもよい。別の実施例において、第２のグラフィック情報セットは、目標カラー組成の顔料の一部または副セットを示すカラーを含んでいてもよく、または、第２のグラフィック情報セットは、目標カラー組成の全体を示すカラーを含んでいてもよい。別の実施形態において、第２のグラフィック情報セットは、第１のグラフィック情報セットとは異なるものであってもよい。
【００８５】
ある実施形態において、第２のグラフィック情報セットおよび第１のグラフィック情報セットは、同一の顔料を有していてもよい。例えば、第２のグラフィック情報セットは、カラーグラフィックの各顔料を含んでいてもよく、第１のグラフィック情報セットは、カラーグラフィックの各顔料を含んでいてもよい。別の実施形態において、第２のグラフィック情報セットおよび第１のグラフィック情報セットは、異なる顔料を有していてもよい。
【００８６】
ある実施形態において、第２のグラフィック情報セットは、第１のグラフィック情報セットと視覚的に同等であってもよい。例えば、第２のグラフィック情報セットは、シアンプリント材料２０滴およびイエロープリント材料２０滴を使用してプリントされる明るいグリーンカラーを有していてもよい。この実施例において、第１のグラフィック情報セットも、シアンプリント材料２０滴およびイエロープリント材料２０滴を使用してプリントされる明るいグリーンカラーを有していてもよい。別の実施形態において、第２のグラフィック情報セットの目標カラー組成の一部および第１のグラフィック情報セットの目標カラー組成の一部は、異なるものであってもよい。例えば、第２のグラフィック情報セットは、シアンプリント材料３０滴およびイエロープリント材料３０滴を使用してプリントされる暗いグリーンカラーを有していてもよい。この実施例において、第１のグラフィック情報セットは、シアンプリント材料１０滴およびイエロープリント材料１０滴を使用してプリントされる明るいグリーンカラーを有していてもよい。
【００８７】
ある実施形態において、第２のグラフィック情報セットと第１のグラフィック情報セットとの組み合わせは、カラーグラフィックデザインと視覚的に同等であってもよい。例えば、第２のグラフィック情報セットは、シアンプリント材料２０滴およびイエロープリント材料２０滴を使用してプリントされる明るいグリーンカラーを有していてもよい。この実施例において、第２のグラフィック情報セットは、明るすぎて、シアンプリント材料５０滴およびイエロープリント材料５０滴を使用してプリントされる暗いグリーンの目標カラーを有するカラーグラフィックデザインと視覚的に同等とはならないものであってもよい。しかし、第１のグラフィック情報セットは、シアンプリント材料３０滴およびイエロープリント材料３０滴を使用してプリントされる明るいグリーンカラーを有していてもよい。このように、第２のグラフィック情報セットと第１のグラフィック情報セットとの組み合わせは、一緒に見たときに、カラーグラフィックデザイン情報で表されるカラーグラフィックと視覚的に同等となるものであってもよい。したがって、第２のグラフィック情報セットを使用してプリントされる上層カラーグラフィック層および第１のグラフィック情報セットを使用してプリントされる下層カラーグラフィック層は、カラーグラフィックで表される目標カラー組成と視覚的に同等であってもよい。別の実施形態において、第２のグラフィック情報セットと第１のグラフィック情報セットとの組み合わせは、カラーグラフィックとは視覚的に異なるものであってもよい。
【００８８】
一般的に、プリント材料および／または顔料の任意の適切な組み合わせを使用して、トップ層を形成してもよい。図１２を参照して、上層カラーグラフィック層１２０８は、第１の領域１２０２、第２の領域１２０４および第３の領域１２０６を含むことにより、３次元オブジェクト１２１０を形成するようにしてもよい。この実施例において、透明構造層１１０４上にシアンプリント材料およびイエロープリント材料を供給することによって、第１の領域１２０２をプリントしてもよい。この実施例において、透明構造層１１０４上にクリアプリント材料およびマゼンタプリント材料を供給することによって、第２の領域１２０４をプリントしてもよい。この実施例において、透明構造層１１０４上にシアンプリント材料およびイエロープリント材料を供給することによって、第３の領域１２０６をプリントしてもよい。図示のように、ある実施形態において、上層カラーグラフィック層１２０８および透明構造層１１０４を形成した後も、下層カラーグラフィック層６２０を可視状態に保持してもよい。別の実施形態において、上層カラーグラフィック層を、異なるプリント材料および／または顔料で形成してもよい。
【００８９】
ある実施形態において、上層カラーグラフィック層は、下層カラーグラフィック層の１以上の特徴を有していてもよい。例えば、上層カラーグラフィック層を光硬化性材料で形成し、硬化ランプによって硬化するようにしてもよい。別の実施例において、上層カラーグラフィック層は、多数のカートリッジからのプリント材料の供給を可能とするものであってもよい。ある実施例において、構造層の上方および／または構造層の上で直接プリント材料を混合することによって、上層カラーグラフィック層を形成するようにしてもよい。さらに別の実施例において、上層カラーグラフィック層は、異なるプリント材料組成を有する部分を有していてもよい。別の実施例において、任意の適切な数の副層および／または任意の適切な回数の硬化ランプの通過を利用して、上層カラーグラフィック層を形成してもよい。別の実施形態において、上層カラーグラフィック層および下層カラーグラフィック層は、異なる態様であってもよい。
【００９０】
図１３を参照して、ある実施形態に合致して、フットウェア物品１３００などの物品は、１以上の３次元オブジェクトを含んでいてもよい。ある実施形態において、図１〜図１２を参照してここで論じるプリンティング手法にしたがって、３次元オブジェクトをプリントしてもよい。例えば、上層カラーグラフィック層１２０８（図１２参照）の形成に使用される手法および／またはプリント材料と同様の手法および／またはプリント材料を使用して、３次元オブジェクト１３０５の上層カラーグラフィック層１３２４を形成してもよい。別の実施例において、透明構造層１１０４（図１１参照）の形成に使用される手法および／またはプリント材料と同様の手法および／またはプリント材料を使用して、３次元オブジェクト１３０５の透明構造層１３２２を形成してもよい。さらなる実施例において、下層カラーグラフィック層６２０（図６参照）の形成に使用される手法および／またはプリント材料と同様の手法および／またはプリント材料を使用して、３次元オブジェクト１３０５の下層カラーグラフィック層１３２０を形成してもよい。別の実施形態において、フットウェア物品１３００は、異なる方法、手法および／または材料を使用してプリントしてもよい。
【００９１】
ある実施形態は、フットウェア物品の摩損の発生を減らすための構成を含んでいてもよい。ある場合において、この様な摩損は、３次元オブジェクト１３０５の仕上がりにおける引っ掻き傷、摩耗または傷の形態であってもよい。３次元オブジェクト１３０５の仕上がりのこの様な損傷は、望ましくないが、フットウェア物品１３００に要求される過酷な使用において不可避でもある。したがって、フットウェア物品１３００の使用期間中にこの様な損傷をできるだけ見えないようにすることが望ましい。ある場合において、ここに開示されているプリンティング手法のうちの１以上を実行することによって、損傷をできるだけ見えないようにしてもよい。別の実施形態において、フットウェア物品の摩損の発生を減らすために、他の構成を使用してもよい。
【００９２】
ある実施形態に合致して、さらに図１３を参照して、例示的な摩損をフットウェア物品１３００における摩耗部１３１０により示す。下層カラーグラフィック層１３２０、透明構造層１３２２および上層カラーグラフィック層１３２４を透過した光線は、摩耗部１３１０、下層カラーグラフィック層１３２０および透明構造層１３２２を透過した光線に対して高コントラストの差とはならない可能性がある。先に論じたように、観察者は、３次元オブジェクト１３０５の１層を超える層から反射された光線と、摩耗部１３１０により露出した領域から反射された光線との組み合わせを見ることになる。すなわち、３次元オブジェクト１３０５は、摩耗部１３１０が、３次元オブジェクト１３０５の全体的なカラーよりも若干明るいカラーまたは若干暗いカラーで現れることを可能にする多数のカラーグラフィック層を含むようにしてもよい。図１４に示すように、これは、白色層１４２２の上に配置された単一のカラーグラフィック層１４２０のみを有するフットウェア物品１４００から同様に反射した光を見るときに観察されるものとは対照的である。
【００９３】
図１４を参照して、別の例示的な摩損をフットウェア物品１４００における摩耗部１４１０で示す。フットウェア物品１４００は、白色層１４２２および単一のカラーグラフィック層１４２０を有する３次元オブジェクト１４０５を含んでいてもよい。図示のように、単一のカラーグラフィック層１４２０は、３次元オブジェクト１４０５の露出表面を形成する。３次元オブジェクト１４０５を透過する光線は、結果的に３次元オブジェクト１４０５と摩耗部１４１０との高コントラストの差となるようにしてもよい。観察者は、摩耗部１４１０により露出した開口部を透過し、白色層１４２２で反射して観察者側に戻ってきた光を見るようにしてもよい。光が、摩耗部１４１０の１以上の部分を透過し、摩耗部１４１０の１以上の部分から反射するようにしてもよい。この様に、３次元オブジェクト１４０５および摩耗部１４１０を見たときに、摩耗部１４１０が、白色層１４２２の露出により３次元オブジェクト１４０５に対して高コントラストの差で現れるようにしてもよい。図１４にも示すように、摩耗部１４１０は、３次元オブジェクト１４０５の残余部分に対して白色痕として現れるようにしてもよい。
【００９４】
ある実施形態に合致して、開示の手法にしたがってカラー耐久性を達成してもよい。すなわち、開示の手法を使用してプリントされた表面の引っ掻き傷、摩耗などの傷による損傷を、観察時に、既存の手法を使用してプリントされた表面に負った同様の損傷よりも目立たないようにしてもよい。開示の手法によるカラープリンティングをより高耐久性にしてもよく、損傷がより目立たなくなるようにしてもよい。
【００９５】
ある実施形態は、浸蝕および／または摩耗からの保護を可能とする構成を含むことができる。ある場合において、浸蝕および／または摩耗からの保護は、保護透明層の使用により可能となってもよい。別の場合において、浸蝕および／または摩耗からの保護は、他の手法、材料および／または方法を使用することによって可能となってもよい。
【００９６】
保護透明層を使用するこれらの例において、任意の適切な材料および／または手法を使用して保護透明層を形成してもよい。ある実施形態において、上記で論じたようにＣＭＹＫプリンティング手法を使用して、そして／または、上記で論じたようにクリアプリント材料を使用して、保護透明層を形成してもよい。図１５を参照して、フットウェア物品１５００は、フットウェア物品１５００がオプションの保護透明層１５０８をさらに含んでいることを除いて、フットウェア物品１３００とほぼ同様である。この実施例において、オプションの保護透明層１５０８は、上層カラーグラフィック層１３２４の浸蝕を防止するものであってもよい。図１５に示すように、オプションの保護透明層１５０８が、摩耗からの保護を提供するものであってもよい。例えば、摩耗部１５０２は、上層カラーグラフィック層１３２４に延びているが、図１３の上層カラーグラフィック層１３２４内に延びている摩耗部１３１０よりも小さな部分であってもよい。別の実施形態において、保護透明層を省略してもよいし（図１３参照）、そして／または、浸蝕および／または摩耗からの保護のための他の構成を用いてもよい。 
【００９７】
ある実施形態において、保護透明層は、カラーグラフィック層の厚さよりも大きな厚さを有していてもよい。図１５を参照して、オプションの保護透明層１５０８は、厚さ１５０９を有していてもよい。この実施例において、厚さ１５０９は、上層カラーグラフィック層１３２４の厚さ１５０７よりも大きくてもよい。別の実施形態において、保護透明層は、カラーグラフィック層（図１９参照）の厚さと同じ厚さを有していてもよい。さらに別の実施形態において、保護透明層は、カラーグラフィック層の厚さよりも小さな厚さを有していてもよい（図示なし）。
【００９８】
ある実施形態において、非白色基材を使用してもよい。ここで使用されているように、非白色基材は、１以上の非白色顔料を含む基材の露出表面を含んでいてもよい。例えば、非白色基材は、灰白色、灰色または黒色を示す部分を少なくとも有する露出表面を含んでいてもよい。別の実施例において、非白色基材は、可視カラースペクトルにおいて任意の非白色カラーを含む外観を有する露出表面を含んでいてもよい。ある実施形態において、非白色基材は、非白色基材の様々な位置において異なるカラー特性を有するものであってもよい。例えば、非白色基材の第１の部分は、明白色の外観を有し、非白色基材の第２の部分は、灰白色、暗白色または灰色の外観を有していてもよい。別の実施形態において、非白色基材は、異なる態様であってもよい。
【００９９】
一般的に、非白色基材は、任意の適切な素材で形成されていてもよい。この様な素材としては、布地、天然布帛、合成布帛、編み地、織成素材、不織素材、メッシュ、皮革、合成皮革、ポリマー、ゴム、発泡素材、またはこれらの任意の組み合わせが例示される。図１６を参照して、得られるフットウェア物品の要求強度を達成するために、繊維または糸を使用して非白色基材１６１２を形成してもよい。別の実施形態において、非白色基材を他の素材で形成してもよい。
【０１００】
一般的に、３次元オブジェクトが一貫した外観を有するように、任意の適切な方法、手法および／または材料を使用して、白色層を形成してもよい。ある実施形態において、上記で論じたようにＣＭＹＫプリンティング手法を使用して、そして／または上記で論じたように白色プリント材料を使用して、白色層を形成してもよい。図１７を参照して、白色層１７０２を非白色基材１６１２上に形成してもよい。この実施例において、プリンティング装置１０２は、白色プリント材料を非白色基材１６１２上に供給することによって、そして、供給後に白色材料を硬化することによって、白色層１７０２をプリントするようにしてもよい。別の実施形態において、他の方法、手法および／またはプリント材料を使用して、白色層を形成してもよい。
【０１０１】
一般的に、白色層上に任意の適切な組み合わせの層を形成してもよい。ある実施形態において、下層カラーグラフィック層、透明構造層および上層カラーグラフィック層を白色層上に形成してもよい。ある実施形態において、下層カラーグラフィック層、透明構造層、中間カラーグラフィック層、中間透明構造層および上層カラーグラフィック層を白色層上に形成してもよい（図２１参照）。ある実施形態において、下層カラーグラフィック層、不透明構造層、中間カラーグラフィック層、中間不透明構造層および上層カラーグラフィック層を白色層上に形成してもよい（図２２参照）。別の実施形態において、層の数を増減して、白色層上に形成してもよい。
【０１０２】
下層カラーグラフィック層を白色層とともに使用する実施形態において、任意の適切な手法を使用して下層カラーグラフィック層を形成してもよい。ある実施形態において、図１〜図１２に基づいて上記で論じたようにＣＭＹＫプリンティング手法を使用して、下層カラーグラフィック層を形成してもよい。図１８を参照して、下層カラーグラフィック層６２０（図６参照）の形成に使用した手法および／またはプリント材料と同様の手法および／またはプリント材料を使用して、下層カラーグラフィック層１８０４を形成してもよい。この実施例において、プリンティング装置は、シアンプリント材料およびイエロープリント材料を使用して、下層カラーグラフィック層１８０４の領域１８５２および下層カラーグラフィック層１８０４の領域１８５４をプリントするようにしてもよい。この実施例において、プリンティング装置は、マゼンタプリント材料およびクリアプリント材料を使用して、下層カラーグラフィック層１８０４の領域１８５６および下層カラーグラフィック層１８０４の領域１８５８をプリントするようにしてもよい。別の実施形態において、下層カラーグラフィック層を異なる態様で形成してもよい。
【０１０３】
透明構造層を白色層とともに使用する実施形態において、任意の適切な手法を使用して透明構造層を形成してもよい。ある実施形態において、図１〜図１２に基づいて上記で論じたようにＣＭＹＫプリンティング手法を使用して、透明構造層を形成してもよい。図１８を参照して、透明構造層１１０４（図１１参照）の形成に使用した手法および／またはプリント材料と同様の手法および／またはプリント材料を使用して、透明構造層１８０６を形成してもよい。この実施例において、プリンティング装置は、クリアプリント材料を使用して透明構造層１８０６をプリントするようにしてもよい。別の実施形態において、透明構造層を異なる態様で形成してもよい。
【０１０４】
上層カラーグラフィック層を白色層とともに使用する実施形態において、任意の適切な手法を使用して上層カラーグラフィック層を形成してもよい。ある実施形態において、図１〜図１２に基づいて上記で論じたようにＣＭＹＫプリンティング手法を使用して、上層カラーグラフィック層を形成してもよい。図１８を参照して、上層カラーグラフィック層１２０８（図１２参照）の形成に使用した手法および／またはプリント材料と同様の手法および／またはプリント材料を使用して、上層カラーグラフィック層１８０８を形成してもよい。この実施例において、プリンティング装置は、シアンプリント材料およびイエロープリント材料を使用して、上層カラーグラフィック層１８０８の領域１８５２および上層カラーグラフィック層１８０８の領域１８５４をプリントするようにしてもよい。この実施例において、プリンティング装置は、マゼンタプリント材料およびクリアプリント材料を使用して、上層カラーグラフィック層１８０８の領域１８５６および上層カラーグラフィック層１８０８の領域１８５８をプリントするようにしてもよい。別の実施形態において、上層カラーグラフィック層を異なる態様で形成してもよい。
【０１０５】
ある実施形態は、非白色基材上にプリントされた３次元オブジェクトの浸蝕および／または摩耗からの保護を可能とする構成を含むことができる。ある場合において、オプションの保護透明層の使用により浸蝕および／または摩耗からの保護が可能であってもよい。別の場合において、他の手法、材料および／または方法を使用することにより、浸蝕および／または摩耗からの保護が可能であってもよい。
【０１０６】
非白色基材上にプリントされた３次元オブジェクトの浸蝕および／または摩耗からの保護を可能とするために保護透明層を使用する実施形態において、任意の適切な材料および／または手法を使用して保護透明層を形成してもよい。例えば、上記で論じたようにＣＭＹＫプリンティング手法を使用して、そして／または、図１５に基づいて上記で論じたようにクリアプリント材料を使用して、保護透明層を形成してもよい。図１９を参照して、保護透明層１９０８は、上層カラーグラフィック層１８０８の浸蝕を防ぐものであってもよい。さらに、保護透明層１９０８は、浸蝕からの保護を提供するものであってもよい。別の実施形態において、保護透明層を省略してもよく（図１８参照）、そして／または、浸蝕および／または摩耗からの保護のために他の構成を使用してもよい。
【０１０７】
ある実施形態において、保護透明層は、カラーグラフィック層の厚さと同じ厚さを有していてもよい。図１９を参照して、保護透明層１９０８は、上層カラーグラフィック層１８０８の厚さ１９０７と同じ厚さ１９０９を有している。別の実施形態において、保護透明層は、カラーグラフィック層の厚さよりも大きな厚さを有していてもよい（図１５参照）。さらに別の実施形態において、保護透明層は、カラーグラフィック層の厚さよりも小さな厚さを有していてもよい（図示なし）。
【０１０８】
ある実施形態は、３次元オブジェクトの外観を改善するための構成を含んでいてもよい。ある場合において、カラーグラフィックの第２の部分を表す第２のグラフィック情報セットおよびカラーグラフィックの第１の部分を表す第１のグラフィック情報セットは、審美効果を提供するために、異なる顔料を有していてもよい。別の場合において、第２のグラフィック情報セットおよび第１のグラフィック情報セットは、同一の顔料を有していてもよい（図１２参照）。
【０１０９】
一般的に、あるグラフィック情報セットは、他のグラフィック情報セットから除外された１以上の顔料を有していてもよい。ある実施形態において、第２のグラフィック情報セットは、第１のグラフィック情報セットから除外された１以上の顔料を有していてもよい。同様に、ある実施形態において、第１のグラフィック情報セットは、第２のグラフィック情報セットから除外された１以上の顔料を有していてもよい。例えば、プリンティングシステムは、カラーグラフィックのあるピクセルがグリーンであるときに、第１のグラフィック情報セットのあるピクセルをイエローに指定し、第２のグラフィック情報セットのあるピクセルをシアンに指定してもよい。この実施例において、プリンティング装置は、第１のグラフィック情報セットであるイエローおよび第２のグラフィック情報セットであるシアンの組み合わせが、カラーグラフィックであるグリーンと視覚的に同等となるように、イエロープリント材料を使用してそのピクセルに対応する下層カラーグラフィック層の領域をプリントし、シアンプリント材料を使用して別のカラーグラフィック層をプリントするようにしてもよい。別の実施形態において、１以上の顔料の単一の組み合わせが、カラーグラフィックデザイン情報の各グラフィック情報セットに含まれていてもよい。
【０１１０】
ある実施形態において、プリントされたカラーグラフィック層は、異なるプリント材料および／または顔料を含んでいてもよい。この様な構成は、任意の適切な３次元オブジェクトにおいて実施されてもよいと理解すべきである。例えば、３次元オブジェクト２００２は、保護透明層をさらに含んでいてもよい（図示なし）。別の実施例において、３次元オブジェクト２００２は、白色層をさらに含んでいてもよい（図示なし）。別の実施例において、３次元オブジェクト２００２（図２０参照）は、透明基層をさらに含んでいてもよい（図示なし）。図２０を参照して、３次元オブジェクト２００２の下層カラーグラフィック層２００４をイエロープリント材料で形成してもよい。この実施例において、３次元オブジェクト２００２の第１の領域２０１２における上層カラーグラフィック層２０１０を、シアンプリント材料で形成してもよい。この実施例において、透明構造層２００６により、観測者は、第１の領域２０１２において、上層カラーグラフィック層２０１０および下層カラーグラフィック層２００４の顔料の組み合わせである、例えばグリーンを見ることになる。別の実施形態において、プリント材料の異なる組み合わせを使用してもよい。
【０１１１】
ある実施形態は、カラーグラフィック層のプリントの単純化を可能とする構成を含んでいる。ある例において、あるカラーグラフィック層のプリント材料および／または顔料を維持する一方、他のカラーグラフィック層のプリント材料および／または顔料を変更することによって、プリンティングを単純化してもよい。図２０を参照して、第２の領域２０１４は、第２の領域２０１４における上層カラーグラフィック層２０１０をシアンプリント材料ではなくマゼンタプリント材料で形成することを除き、第１の領域２０１２と同様であってもよい。図示のように、３次元オブジェクト２００２は、第１の領域２０１２においてグリーンに見えてもよく、第２の領域２０１４においてブルーに見えてもよい。この様にして、下層カラーグラフィック層２００４の顔料を（例えば、イエロープリント材料に）維持する一方、３次元オブジェクト２００２は異なるカラーを有するように見せかけて、プリンティングを単純化してもよい。別の実施形態において、他の方法、手法および技術を使用して、プリンティングを単純化してもよい。
【０１１２】
ある実施形態は、３次元オブジェクトの各部の摩耗に対する耐久性を可能とする構成を含んでいてもよい。ある実施形態において、３次元オブジェクトの各部分の摩耗に対する耐久性向上を容易にするために、１以上の中間カラーグラフィック層を使用してもよい。図示では単一の中間カラーグラフィック層が描かれているが、任意の適切な数の中間カラーグラフィック層を使用してもよいと理解すべきである。ここで使用されているように、１以上の中間カラーグラフィック層とは、構造層により分離されている顔料を有する１以上の層を指すものであってもよい。さらに説明されているように、この様な構造層は、透明、不透明および／または半透明であってもよい。別の実施形態において、３次元オブジェクトの各部分の摩耗に対する耐久性向上を容易にするために、他の構成を含んでいてもよい。例えば、３次元オブジェクトは、保護層を含んでいてもよい。
【０１１３】
ある実施形態において、１以上の中間カラーグラフィック層を上層カラーグラフィック層と下層カラーグラフィック層との間に配置してもよい。図２１を参照して、中間カラーグラフィック層２１０６を上層カラーグラフィック層２１１０と下層カラーグラフィック層２１０２との間に配置してもよい。別の実施形態において、１以上の中間カラーグラフィック層を他の態様で配置してもよい。
【０１１４】
ある実施形態において、中間カラーグラフィック層の形成のために使用するプリント材料の組み合わせを、カラーグラフィックデザイン情報のグラフィック情報セットにしたがって選択してもよい。ある実施形態において、カラーグラフィックデザイン情報は、カラーグラフィックの一部を表す単一のグラフィック情報セットを含んでいてもよい。この様な例において、単一のグラフィック情報セットを使用して下層カラーグラフィック層をプリントしてもよく、その単一のグラフィック情報セットを使用して上層グラフィック層をプリントしてもよく、その単一のグラフィック情報セットを使用して中間カラーグラフィック層をプリントしてもよい。別の実施形態において、カラーグラフィックデザイン情報は、カラーグラフィックの第１の部分を表す第１のグラフィック情報セット、カラーグラフィックの第２の部分を表す第２のグラフィック情報セットおよびカラーグラフィックの中間部分を表す第３のグラフィック情報セットを含んでいてもよい。この様な例において、下層カラーグラフィック層は、第１のグラフィック情報セットを使用してプリントしてもよく、中間グラフィック層は、第３のグラフィック情報セットを使用してプリントしてもよく、上層グラフィック層は、第２のグラフィック情報セットを使用してプリントしてもよい。
【０１１５】
カラーグラフィックの中間部分を表す第３のグラフィック情報セットを使用する実施形態において、第３のグラフィック情報セットは、カラーグラフィックの第１の部分を表す第１のグラフィック情報セットおよび／またはカラーグラフィックの第２の部分を表す第２のグラフィック情報セットの１以上の特徴を有していてもよい。例えば、第３のグラフィック情報セットは、カラーグラフィックと同一の顔料またはカラーグラフィックとは異なる顔料を含有していてもよい。別の実施例において、第３のグラフィック情報セットは、目標カラー組成の一部のみを使用してプリントされるカラーを有していてもよく、または、第３のグラフィック情報セットは、目標カラー組成全体を使用してプリントされるカラーを有していてもよい。別の実施形態において、第３のグラフィック情報セットは、第１のグラフィック情報セットおよび／または第２のグラフィック情報セットと異なっていてもよい。
【０１１６】
ある実施形態において、カラーグラフィックデザイン情報に含まれる各グラフィック情報セットは、同一の顔料を有していてもよい。例えば、第３のグラフィック情報セットは、カラーグラフィックの各顔料を含んでいてもよく、第１のグラフィック情報セットは、そのカラーグラフィックの各顔料を含んでいてもよく、第２のグラフィック情報セットは、そのカラーグラフィックの各顔料を含んでいてもよい。別の実施形態において、様々なグラフィック情報セットが、異なる顔料を有していてもよい。
【０１１７】
ある実施形態において、カラーグラフィックの中間部分を表す第３のグラフィック情報セットは、カラーグラフィックの第１の部分を表す第１のグラフィック情報セットおよび／またはカラーグラフィックの第２の部分を表す第２のグラフィック情報セットと視覚的に同等であってもよい。例えば、第３のグラフィック情報セットは、シアンプリント材料２０滴およびイエロープリント材料２０滴を示すものであってもよい。この実施例において、第１のグラフィック情報セットは、シアンプリント材料２０滴およびイエロープリント材料２０滴を示すものであってもよく、第２のグラフィック情報セットは、シアンプリント材料２０滴およびイエロープリント材料２０滴を示すものであってもよい。別の実施形態において、第３のグラフィック情報セット、第２のグラフィック情報セットおよび／または第１のグラフィック情報セットは、視覚的に異なる態様であってもよい。
【０１１８】
一般的に、カラーグラフィックデザイン情報に含まれている各グラフィック情報セットの組み合わせは、カラーグラフィックデザインと視覚的に同等であってもよい。上層カラーグラフィック層、中間カラーグラフィック層および下層カラーグラフィック層を使用する実施形態において、第３のグラフィック情報セット、第２のグラフィック情報セットおよび第１のグラフィック情報セットの組み合わせは、カラーグラフィックデザインと視覚的に同等であってもよい。例えば、第３のグラフィック情報セットは、シアンプリント材料２０滴およびイエロープリント材料２０滴を示すものであってもよい。この実施例において、第２のグラフィック情報セットは、シアンプリント材料２０滴およびイエロープリント材料２０滴を示すものであってもよい。この実施例において、第２のグラフィック情報セットおよび第３のグラフィック情報セットの組み合わせは、明るすぎて、シアンプリント材料７０滴およびイエロープリント材料７０滴を示すカラーグラフィックと視覚的に同等とはならないものであってもよい。しかし、第１のグラフィック情報セットは、シアンプリント材料３０滴およびイエロープリント材料３０滴を示すものであってもよい。このように、第１のグラフィック情報セット、第２のグラフィック情報セットおよび第３のグラフィック情報セットの組み合わせが、カラーグラフィックデザインと視覚的に同等となるようにしてもよい。別の実施形態において、カラーグラフィックデザイン情報に含まれている各グラフィック情報セットの組み合わせは、カラーグラフィックとは視覚的に異なるものであってもよい。
【０１１９】
ある実施形態において、上記で論じたようにＣＭＹＫプリンティング手法を使用して、そして／または、上記で論じたようにシアンプリント材料、マゼンタプリント材料、イエロープリント材料、キープリント材料、クリアプリント材料、白色プリント材料および／またはこれらの組み合わせを使用して、１以上の中間カラーグラフィック層をプリントしてもよい。図２１を参照して、シアンプリント材料およびイエロープリント材料を供給することによって、中間カラーグラフィック層２１０６をプリントしてもよい。別の実施形態において、１以上の中間カラーグラフィック層を形成するために、他の材料および／または手法を使用してもよい。
【０１２０】
ある実施形態において、１以上の中間カラーグラフィック層は、それぞれ下層カラーグラフィック層および／または上層カラーグラフィック層の１以上の特徴を有していてもよい。例えば、１以上の中間カラーグラフィック層を光硬化性材料で形成し、硬化ランプで硬化してもよい。別の実施例において、１以上の中間カラーグラフィック層は、多数のカートリッジからのプリント材料の供給を可能にするものであってもよい。ある実施例において、プリント材料を構造層の上方および／または構造層の上で直接混合することによって、１以上の中間カラーグラフィック層を形成してもよい。さらに別の実施例において、１以上の中間カラーグラフィック層は、異なるプリント材料組成を有する部分を有していてもよい。別の実施例において、任意の適切な数の副層および／または任意の適切な回数の硬化ランプの通過を利用して、１以上の中間カラーグラフィック層を形成してもよい。別の実施形態において、１以上の中間カラーグラフィック層は、上層カラーグラフィック層および／または下層カラーグラフィック層とは異なる態様であってもよい。
【０１２１】
ある実施形態において、各中間カラーグラフィック層は、対応する透明構造層とともにプリントしてもよい。例えば、図２１に示すように、３次元オブジェクト２１００は、１以上の内層透明構造層２１０４の最上層の上にプリントされた中間カラーグラフィック層２１０６を含んでいてもよい。この実施形態において、内層透明構造層２１０４は、内層透明構造層２１０３および内層透明構造層２１０５を含んでいる。別の実施形態において、１、２または３以上の内層透明構造層を使用することができる。この実施例において、中間カラーグラフィック層２１０６は、対応する１以上の上層（または外層）透明構造層２１０８とともにプリントしてもよい。この実施形態において、上層透明構造層２１０８は、上層透明構造層２１０７および上層透明構造層２１０９をさらに含んでいる。別の実施形態において、１、２または３以上の上層透明構造層を使用することができる。３次元オブジェクトは、任意の適切な数の中間カラーグラフィック層および対応する透明構造層のペアを含んでいてもよいと理解すべきである。別の実施形態において、対応する透明構造層を省略してもよい。
【０１２２】
一般的に、任意の適切な材料および／または手法を使用して、内層透明構造層および／または外層透明構造層を形成してもよい。ある実施形態において、内層透明構造層および／または外層透明構造層は、図１１に基づいて上記で論じた透明構造層の１以上の特徴を有していてもよい。例えば、内層透明構造層および／または外層透明構造層をクリアプリント材料で形成し、硬化ランプで硬化してもよい。別の実施例において、内層透明構造層および／または外層透明構造層は、多数のカートリッジからのプリント材料の供給を可能とするものであってもよい。ある実施例において、プリント材料を構造層の上方および／または構造層の上で直接混合することによって、内層透明構造層および／または外層透明構造層を形成してもよい。別の実施例において、任意の適切な数の副層および／または任意の適切な回数の硬化ランプの通過を利用して、内層透明構造層および／または外層透明構造層を形成してもよい。別の実施形態において、内層透明構造層および／または外層透明構造層および透明構造層は、異なる態様であってもよい。
【０１２３】
３次元オブジェクトを形成するために中間カラーグラフィック層を使用する実施形態において、３次元オブジェクトは、３次元オブジェクトの形成を容易にするために、任意の適切な数およびタイプの層を有していてもよい。ある実施形態において、３次元オブジェクトは、下層カラーグラフィック層、内層透明構造層、中間カラーグラフィック層、外層透明構造層および上層カラーグラフィック層を含んでいてもよい。別の実施形態において、３次元オブジェクトは、異なる態様であってもよい。
【０１２４】
ある実施形態において、中間カラーグラフィック層を有する３次元オブジェクトにおいて使用される下層カラーグラフィック層は、図１０に描かれている下層カラーグラフィック層６２０の１以上の特徴を有していてもよい。例えば、図２１を参照して、３次元オブジェクト２１００の下層カラーグラフィック層２１０２をシアンプリント材料およびイエロープリント材料で形成し、硬化ランプで硬化してもよい。別の実施例において、多数のカートリッジからのプリント材料を使用して、下層カラーグラフィック層２１０２を形成してもよい。別の実施例において、構造層の上方および／または構造層の上で直接プリント材料を混合することによって、下層カラーグラフィック層２１０２を形成してもよい。さらに別の実施例において、下層カラーグラフィック層２１０２は、異なるプリント材料組成を有する領域を有していてもよい。別の実施例において、任意の適切な数の副層および／または任意の適切な回数の硬化ランプの通過を利用して、下層カラーグラフィック層２１０２を形成してもよい。別の実施形態において、中間カラーグラフィック層を有する３次元オブジェクトにおいて使用されている下層カラーグラフィック層は、異なる態様であってもよい。
【０１２５】
ある実施形態において、中間カラーグラフィック層を有する３次元オブジェクトにおいて使用される上層カラーグラフィック層は、図１２に描かれている上層カラーグラフィック層１２０８の１以上の特徴を有していてもよい。図２１を参照して、上層カラーグラフィック層２１１０をシアンプリント材料およびイエロープリント材料で形成し、硬化ランプで硬化してもよい。別の実施例において、多数のカートリッジからのプリント材料を使用して、上層カラーグラフィック層２１１０を形成してもよい。別の実施例において、構造層の上方および／または構造層の上で直接プリント材料を混合することによって、上層カラーグラフィック層２１１０を形成してもよい。さらに別の実施例において、上層カラーグラフィック層２１１０は、異なるプリント材料組成を有する領域を有していてもよい。別の実施例において、任意の適切な数の副層および／または任意の適切な回数の硬化ランプの通過を利用して、上層カラーグラフィック層２１１０を形成してもよい。別の実施形態において、中間カラーグラフィック層を有する３次元オブジェクトにおいて使用される上層カラーグラフィック層は、異なる態様であってもよい。
【０１２６】
ある実施形態は、中間カラーグラフィック層を有する３次元オブジェクトの浸蝕および／または摩耗からの保護を可能とする構成を含むことができる。ある場合において、浸蝕および／または摩耗からの保護は、オプションの保護透明層の使用により可能となってもよい。別の場合において、浸蝕および／または摩耗からの保護は、他の手法、材料および／または方法を使用することによって可能となってもよい。
【０１２７】
中間カラーグラフィック層を有する３次元オブジェクトの浸蝕および／または摩耗からの保護を可能とするために保護透明層を使用する実施形態において、任意の適切な材料および／または手法を使用して、保護透明層を形成してもよい。ある実施形態において、中間カラーグラフィック層を有する３次元オブジェクトにおいて形成された保護透明層は、中間カラーグラフィック層を省略した３次元オブジェクトにおいて形成された保護透明層（図１５参照）と同様であってもよい。例えば、ＣＭＹＫプリンティング手法を使用して、保護透明層を形成してもよい。別の実施例において、保護透明層は、任意の適切な厚さを有していてもよい。図２１を参照して、保護透明層２１１２をクリアプリント材料で形成してもよい。別の実施形態において、中間カラーグラフィック層を有する３次元オブジェクトにおいて形成された保護透明層は、中間カラーグラフィック層を省略した３次元オブジェクトにおいて形成された保護透明層とは異なる態様であってもよい。
【０１２８】
ある実施形態は、中間カラーグラフィック層を有する３次元オブジェクトを非白色基材上にプリント可能である。ある場合において、３次元オブジェクトが、一貫した外観を有するように、白色層を非白色基材上にプリントしてもよい。別の場合において、他の方法、手法および／または材料を使用して、非白色基材上にプリントしてもよい。
【０１２９】
中間カラーグラフィック層とともに白色層を使用する実施形態において、非白色基材上へのプリントが可能なように、任意の適切な方法、手法および／または材料を使用して、白色層を形成してもよい。図２１を参照して、３次元オブジェクト２１００は、オプションで白色層２１１４を含んでいてもよい。この実施例において、非白色基材２１１５に白色プリント材料を供給することによって、そして、供給後に白色プリント材料を硬化することによって、白色層２１１４を形成してもよい。別の実施形態において、他の方法、手法および／またはプリント材料を使用して、白色層を形成してもよい。
【０１３０】
ある実施形態は、中間カラーグラフィック層を有する３次元オブジェクトの非平坦基材上へのプリントが可能である。ある場合において、３次元オブジェクトが所望のプロファイルを有することが可能なように、透明基層を非平坦基材上にプリントしてもよい。任意の適切な基材、例えば、平坦基材上にオプションで透明基層を形成してもよい（図示なし）と理解すべきである。別の場合において、他の方法、手法および／または材料を使用して、非平坦基材上にプリントしてもよい。
【０１３１】
中間カラーグラフィック層とともに透明基層を使用する実施形態において、非平坦基材上へのプリンティングが可能となるように、任意の適切な方法、手法および／または材料を使用して、透明基層を形成してもよい。例えば、上記で論じたようにＣＭＹＫプリンティング手法を使用して、透明基層を形成してもよい。図２１を参照して、３次元オブジェクト２１００は、オプションで透明基層２１１６を含んでいてもよい。この実施例において、非平坦基材２１１７上にクリアプリント材料を供給することによって、そして、供給後にクリアプリント材料を硬化することによって、透明基層２１１６を形成してもよい。別の実施形態において、他の方法、手法および／またはプリント材料を使用して、透明基層を形成してもよい。
【０１３２】
ある実施形態は、上層の摩耗の後に観察者にとって下地層を可視状態とする構成を含むことができる。ある実施形態において、上層の摩耗の後に観察者にとって下地層を可視状態とするために、不透明構造層によりカラーグラフィック層を分離してもよい。別の実施形態において、上層の摩耗の後に観察者にとって下地層を可視状態とする別の構成を使用してもよい。
【０１３３】
上層の摩耗の後に観察者にとって下地層を可視状態とするために不透明構造層を使用する実施形態において、任意の適切な方法、手法および／または材料を使用して不透明構造層を形成してもよい。例えば、上記で論じたようにＣＭＹＫプリンティング手法を使用して、そして／または、上記で論じたように白色プリント材料を使用して、不透明構造層を形成してもよい。別の実施形態において、他の方法、手法および／またはプリント材料を使用して、不透明構造層を形成してもよい。
【０１３４】
一般的に、任意の適切なプリント材料を使用して、不透明構造層を形成してもよい。ある実施形態において、白色顔料を使用して不透明構造層を形成してもよい。図２２を参照して、１以上の内層不透明構造層２２０６（例えば、層２２０５および層２２０７）を下層カラーグラフィック層２２０４上に形成してもよい。この実施例において、プリンティング装置は、白色プリント材料を供給することによって、そして、供給後に白色プリント材料を硬化することによって、１以上の内層不透明構造層２２０６を形成するようにしてもよい。別の実施形態において、異なる顔料および／またはプリント材料を使用して、不透明構造層を形成してもよい。
【０１３５】
一般的に、任意の適切な数の不透明構造層を使用してもよい。図２２を参照して、３次元オブジェクト２２００は、１以上の外層不透明構造層２２１０を含んでいてもよい。ある実施形態において、２を超える不透明構造層を使用してもよい。別の実施形態において、単一の不透明構造層を使用してもよい。
【０１３６】
ある実施形態において、同様の方法、手法および／または材料を使用して、不透明構造層を形成してもよい。図２２を参照して、１以上の内層不透明構造層２２０６を下層カラーグラフィック層２２０４上に形成するために使用した方法、手法および／または材料を使用して、１以上の外層不透明構造層２２１０（例えば、層２２０７および層２２０９）を中間カラーグラフィック層２２０８上に形成してもよい。この実施例において、プリンティング装置は、白色プリント材料を供給することによって、そして、供給後に白色プリント材料を硬化することによって、１以上の外層不透明構造層２２１０をプリントするようにしてもよい。別の実施形態において、不透明構造層のうちの１以上を、他の不透明構造層（図示なし）とは異なる態様で形成してもよい。
【０１３７】
３次元オブジェクトをプリントするために不透明構造層を使用する実施形態において、任意の適切なカラーグラフィック層で３次元オブジェクトを形成してもよい。ある実施形態において、３次元オブジェクトは、下層カラーグラフィック層、中間カラーグラフィック層および上層カラーグラフィック層を含んでいてもよい。ある実施形態において、３次元オブジェクトは、下層カラーグラフィック層、多数の中間カラーグラフィック層および上層カラーグラフィック層を含んでいてもよい。ある実施形態において、３次元オブジェクトは、上層カラーグラフィック層および下層カラーグラフィック層を含んでいてもよい。別の実施形態において、不透明構造層を有する３次元オブジェクトは、異なる態様であってもよい。
【０１３８】
ある実施形態において、不透明構造層を有する３次元オブジェクトにおいて使用される下層カラーグラフィック層は、図１０に描かれている下層カラーグラフィック層６２０の１以上の特徴を有していてもよい。図２２を参照して、３次元オブジェクト２２００の下層カラーグラフィック層２２０４をシアンプリント材料およびイエロープリント材料で形成して、硬化ランプで硬化してもよい。別の実施例において、多数のカートリッジからのプリント材料を使用して下層カラーグラフィック層２２０４を形成してもよい。別の実施例において、構造層の上方および／または構造層の上で直接プリント材料を混合することによって、下層カラーグラフィック層２２０４を形成してもよい。さらに別の実施例において、下層カラーグラフィック層２２０４は、異なるプリント材料組成を有する領域を有していてもよい。別の実施例において、任意の適切な数の副層および／または任意の適切な回数の硬化ランプの通過を利用して、下層カラーグラフィック層２２０４を形成してもよい。別の実施形態において、不透明構造層を有する３次元オブジェクトにおいて使用される下層カラーグラフィック層は、異なる態様であってもよい。
【０１３９】
ある実施形態において、不透明構造層を有する３次元オブジェクトにおいて使用される中間カラーグラフィック層は、図２１に描かれている中間カラーグラフィック層２１０６の１以上の特徴を有していてもよい。例えば、図２２を参照して、３次元オブジェクト２２００の中間カラーグラフィック層２２０８をシアンプリント材料およびイエロープリント材料で形成し、硬化ランプで硬化してもよい。別の実施例において、多数のカートリッジからのプリント材料を使用して、中間カラーグラフィック層２２０８を形成してもよい。別の実施例において、構造層の上方および／または構造層の上で直接プリント材料を混合して、中間カラーグラフィック層２２０８を形成してもよい。さらに別の実施例において、中間カラーグラフィック層２２０８は、異なるプリント材料組成を有する領域を有していてもよい。別の実施例において、任意の適切な数の副層および／または任意の適切な回数の硬化ランプの通過を利用して、中間カラーグラフィック層２２０８を形成してもよい。別の実施形態において、不透明構造層を有する３次元オブジェクトにおいて使用される中間カラーグラフィック層は、異なる態様であってもよい。
【０１４０】
ある実施形態において、中間カラーグラフィック層に、対応する不透明構造層を形成してもよい。図２２を参照して、３次元オブジェクト２２００は、１以上の対応する外層不透明構造層２２１０を有する中間カラーグラフィック層２２０８を含んでいてもよい。中間カラーグラフィック層および対応する不透明構造層の対を１対のみ図２２に示しているが、３次元オブジェクトは、任意の適切な数の中間カラーグラフィック層および対応する不透明構造層の対を含んでいてもよいと理解すべきである。別の実施形態において、対応する不透明構造層を省略してもよい。
【０１４１】
ある実施形態において、不透明構造層を有する３次元オブジェクトにおいて使用される上層カラーグラフィック層は、図１２に示す上層カラーグラフィック層１２０８の１以上の特徴を有していてもよい。図２２を参照して、上層カラーグラフィック層２２１２は、シアンプリント材料およびイエロープリント材料で形成し、硬化ランプで硬化してもよい。別の実施例において、多数のカートリッジからのプリント材料を使用して上層カラーグラフィック層２２１２を形成してもよい。別の実施例において、構造層の上方および／または構造層の上で直接プリント材料を混合して、上層カラーグラフィック層２２１２を形成してもよい。さらに別の実施例において、上層カラーグラフィック層２２１２は、異なるプリント材料組成を有する領域を有していてもよい。別の実施例において、任意の適切な数の副層および／または任意の適切な回数の硬化ランプの通過を利用して、上層カラーグラフィック層２２１２を形成してもよい。別の実施形態において、不透明構造層を有する３次元オブジェクトにおいて使用される上層カラーグラフィック層は、異なる態様であってもよい。
【０１４２】
ある実施形態において、１以上の不透明構造層は、３次元オブジェクトのカラーグラフィック層を分離するようにしてもよい。図２２は、１以上の内層不透明構造層２２０６（例えば、層２２０５および層２２０７）は、下層カラーグラフィック層２２０４および中間カラーグラフィック層２２０８を分離している。この実施例において、１以上の外層不透明構造層２２１０は、中間カラーグラフィック層２２０８および上層カラーグラフィック層２２１２を分離している。この構成において、層が摩滅して、下地のカラーグラフィック層を露出するようにしてもよい。別の実施形態において、３次元オブジェクト内で不透明構造層を異なる態様で配置してもよい。
【０１４３】
一般的に、任意の適切な手法を使用して、不透明構造層を有する３次元オブジェクトのカラーグラフィック層をプリントしてもよい。ある実施形態において、カラーグラフィックの一部を表す単一のグラフィック情報セットを使用して、カラーグラフィック層をプリントしてもよい。この様な例において、その単一のグラフィック情報セットを使用して下層カラーグラフィック層をプリントしてもよく、その単一のグラフィック情報セットを使用して中間カラーグラフィック層をプリントしてもよく、その単一のグラフィック情報セットを使用して上層グラフィック層をプリントしてもよい。別の実施形態において、カラーグラフィックデザイン情報は、カラーグラフィックの第１の部分を表す第１のグラフィック情報セット、カラーグラフィックの第２の部分を表す第２のグラフィック情報セットおよびカラーグラフィックの中間部分を表す第３のグラフィック情報セットを含んでいてもよい。この様な例において、第１のグラフィック情報セットを使用して下層カラーグラフィック層をプリントしてもよく、第３のグラフィック情報セットを使用して中間グラフィック層をプリントしてもよく、第２のグラフィック情報セットを使用して上層グラフィック層をプリントしてもよい。
【０１４４】
ある実施形態において、カラーグラフィックデザイン情報に含まれている様々なグラフィック情報セットは、互いに視覚的に同等であってもよい。例えば、第３のグラフィック情報セットは、シアンプリント材料７０滴およびイエロープリント材料７０滴を使用してプリントされるカラーを含んでいてもよい。この実施例において、第１のグラフィック情報セットは、シアンプリント材料７０滴およびイエロープリント材料７０滴を使用してプリントされるカラーを含んでいてもよく、第２のグラフィック情報セットは、シアンプリント材料７０滴およびイエロープリント材料７０滴を使用してプリントされるカラーを含んでいてもよい。別の実施形態において、異なるグラフィック情報セットは、視覚的に異なっていてもよい。 
【０１４５】
ある実施形態において、カラーグラフィックデザイン情報に含まれている様々なグラフィック情報セットは、カラーグラフィックと視覚的に同等または同一であってもよい。例えば、第３のグラフィック情報セットは、シアンプリント材料７０滴およびイエロープリント材料７０滴を使用してプリントされるカラーを含んでいてもよい。この実施例において、第２のグラフィック情報セットは、シアンプリント材料７０滴およびイエロープリント材料７０滴を使用してプリントされるカラーを含んでいてもよい。この実施例において、第１のグラフィック情報セットは、シアンプリント材料７０滴およびイエロープリント材料７０滴を使用してプリントされるカラーを含んでいてもよい。この実施例において、第１のグラフィック情報セット、第２のグラフィック情報セットおよび第３のグラフィック情報セットは、それぞれカラーグラフィックと視覚的に同等であってもよい。別の実施形態において、カラーグラフィックデザイン情報に含まれる様々なグラフィック情報セットは、カラーグラフィックと視覚的に異なっていてもよい。
【０１４６】
ある実施形態において、中間カラーグラフィック層、上層カラーグラフィック層および下層カラーグラフィック層は、同じ顔料の組み合わせを有していてもよい。図２２を参照して、３次元オブジェクト２２００の下層カラーグラフィック層２２０４をシアンプリント材料およびイエロープリント材料で形成してもよく、中間カラーグラフィック層２２０８をシアンプリント材料およびイエロープリント材料で形成してもよく、上層カラーグラフィック層２２１２をシアンプリント材料およびイエロープリント材料で形成してもよい。この実施例において、１以上の内層不透明構造層２２０６を白色プリント材料で形成してもよく、１以上の外層不透明構造層２２１０を白色プリント材料で形成してもよい。別の実施形態において、不透明構造層を有する３次元オブジェクトのカラーグラフィック層は、異なる顔料の組み合わせを有していてもよい。
【０１４７】
ある実施形態において、不透明構造層は、カラーグラフィック層の厚さよりも小さな厚さを有していてもよい。図２２を参照して、１以上の内層不透明構造層２２０６は、下層カラーグラフィック層２２０４の厚さ２２８４よりも小さな厚さ２２８６を有していてもよい。別の実施形態において、不透明構造層は、カラーグラフィック層と同等以上の厚さを有していてもよい。
【０１４８】
不透明構造層を使用する実施形態において、摩耗耐性の向上を容易にするために、保護透明層を設けてもよい。図２２を参照して、３次元オブジェクト２２００は、保護透明層２２１４をオプションで含んでいてもよい。保護透明層が含まれているこれらの例において、保護透明層は、透明構造層を有する３次元オブジェクトに使用される保護透明層とほぼ同様であってもよい。例えば、図２２の保護透明層２２１４をクリアプリント材料で形成してもよく、保護透明層２２１４は、図１５の保護透明層１５０８および／または図２１の保護透明層２１１２とほぼ同様であってもよい。別の実施形態において、保護透明層を異なる態様で形成してもよい。
【０１４９】
ある実施形態において、非白色基材上へのプリントを可能とするために、不透明構造層を有する３次元オブジェクトを白色層とともにプリントしてもよい。図２２を参照して、３次元オブジェクト２２００は、白色層２２０２をオプションで含んでいてもよい。白色層２２０２を使用するこれらの例において、白色層２２０２は、透明構造層を使用する３次元オブジェクト用に使用する白色層とほぼ同様であってもよい。例えば、図２２の白色層２２０２は、図１７の白色層１７０２および／または図２１の白色層２１１４とほぼ同様であってもよい。この例において、非白色基材２２０３上に白色プリント材料を供給することによって、そして、供給後に白色プリント材料を硬化することによって、白色層２２０２を形成してもよい。別の実施形態において、白色層を省略してもよい。
【０１５０】
ある実施形態は、不透明構造層を有する３次元オブジェクトの非平坦基材上へのプリントが可能である。ある場合において、３次元オブジェクトが所望のプロファイルを有するように、非平坦基材上に透明基層をプリントしてもよい。任意の適切な基材、例えば、平坦基材上に透明基層をオプションで形成してもよい（図示なし）と理解すべきである。別の場合において、他の方法、手法および／または材料を使用して非平坦基材にプリントしてもよい。
【０１５１】
透明基層を不透明構造層とともに使用する実施形態において、非平坦基材上へのプリントを可能とするために、任意の適切な方法、手法および／または材料を使用して、透明基層を形成してもよい。例えば、上記で論じたようにＣＭＹＫプリンティング手法を使用して、透明基層を形成してもよい。図２２において、３次元オブジェクト２２００は、透明基層２２１６をオプションで含んでいてもよい。この実施例において、非平坦基材２２１７上にクリアプリント材料を供給することによって、そして、供給後にクリアプリント材料を硬化することによって、透明基層２２１６を形成してもよい。別の実施形態において、他の方法、手法および／またはプリント材料を使用して、透明基層を形成してもよい。
【０１５２】
様々な実施形態について説明してきたが、説明は、限定ではなく例示を意図するものであり、本実施形態の範囲内においてさらに数多くの実施形態や実施態様が可能であることは当業者に明らかであろう。特に制限が無い限り、任意の実施形態の任意の特徴を、任意の他の実施形態の任意の特徴または要素と組み合わせて使用したり、代用したりしてもよい。したがって、添付の請求項およびその均等物を考慮することを除き、実施形態は制限されない。また、添付の請求項の範囲内で種々の改良および変更を行ってもよい。
【図１】
2020124926.tif 000003
【図２】
2020124926.tif 000004
【図３】
2020124926.tif 000005
【図４】
2020124926.tif 000006
【図５】
2020124926.tif 000007
【図６】
2020124926.tif 000008
【図７】
2020124926.tif 000009
【図８】
2020124926.tif 000010
【図９】
2020124926.tif 000011
【図１０】
2020124926.tif 000012
【図１１】
2020124926.tif 000013
【図１２】
2020124926.tif 000014
【図１３】
2020124926.tif 000015
【図１４】
2020124926.tif 000016
【図１５】
2020124926.tif 000017
【図１６】
2020124926.tif 000018
【図１７】
2020124926.tif 000019
【図１８】
2020124926.tif 000020
【図１９】
2020124926.tif 000021
【図２０】
2020124926.tif 000022
【図２１】
2020124926.tif 000023
【図２２】
2020124926.tif 000024